【事件の表示】
　特許第３０７３４７０号「特定のコポリマーを含有する組成物および該コポリマーの化粧品への使用」の請求項１〜１４、１７〜２９に係る特許に対する特許異議の申立てについて、次のとおり決定する。
【結　論】
　訂正を認める。
　特許第３０７３４７０号の請求項１〜１４、１６〜２８に係る特許を維持する。
【理　由】
１．手続きの経緯
　本件特許第３０７３４７０号の請求項１〜２９に係る発明は、平成９年９月１９日（平成８年９月２０日出願のフランス国特許出願に基づく優先権主張）に特許出願され、平成１２年６月２日に特許権の設定の登録がされた。その後、特許異議申立人福島一郎により請求項１〜１４、１７〜２９に係る発明の特許について特許異議の申立てがされ、同請求項に係る特許について取消理由が通知された後、意見書提出の指定期間内である平成１３年９月２８日に、明細書の訂正請求がされた。
　
２．訂正請求について
（１）訂正の内容
　
訂正事項ａ：
　特許請求の範囲の請求項１に係る記載
「【請求項１】　化粧品用組成物における、移りおよび／または移入を制限、減少、および／または改善させるために、モノオレフィン不飽和でＣ3−Ｃ6のカルボン酸モノマーまたはその無水物と、アクリル酸の脂肪鎖エステルモノマーとからなる、架橋していてもよいコポリマーを、該組成物に配合することを含む使用であり、該組成物が、
・架橋し、少なくとも９０％の中和したポリ（２−アクリルアミド−２−メチルプロパン−スルホン酸）ポリマー、および／または、
・架橋していてもよい、アクリル酸のホモポリマーまたはコポリマー、またはそれらの塩の一つを、さらに含有することを特徴とする使用。」
を、
「【請求項１】　化粧品用組成物における、移りおよび／または移入を制限、減少、および／または改善させるために、モノオレフィン不飽和でＣ3−Ｃ6のカルボン酸モノマーまたはその無水物と、アクリル酸の脂肪鎖エステルモノマーとからなる、架橋していてもよいコポリマーを、該組成物に配合することを含む使用であり、該組成物が、架橋し、少なくとも９０％の中和したポリ（２−アクリルアミド−２−メチルプロパン−スルホン酸）ポリマーをさらに含有することを特徴とする使用。」
と訂正する。
　
訂正事項ｂ：
　特許請求の範囲の請求項２に係る記載
「【請求項２】　化粧品用組成物における、保持力を改善するために、モノオレフィン不飽和でＣ3−Ｃ6のカルボン酸モノマーまたはその無水物と、アクリル酸の脂肪鎖エステルモノマーとからなる、架橋していてもよいコポリマーを、該組成物に配合することを含む使用であり、該組成物が、
・架橋し、少なくとも９０％の中和したポリ（２−アクリルアミド−２−メチルプロパン−スルホン酸）ポリマー、および／または、
・架橋していてもよい、アクリル酸のホモポリマーまたはコポリマー、またはそれらの塩の一つを、さらに含有することを特徴とする使用。」
を、
「【請求項２】　化粧品用組成物における、保持力を改善するために、モノオレフィン不飽和でＣ3−Ｃ6のカルボン酸モノマーまたはその無水物と、アクリル酸の脂肪鎖エステルモノマーとからなる、架橋していてもよいコポリマーを、該組成物に配合することを含む使用であり、該組成物が、架橋し、少なくとも９０％の中和したポリ（２−アクリルアミド−２−メチルプロパン−スルホン酸）ポリマーをさらに含有することを特徴とする使用。」
と訂正する。
　
訂正事項ｃ：
　特許請求の範囲の請求項３に係る記載
「【請求項３】　化粧品用組成物における、移りおよび／または移入がなく、改善された保持力を有する、該組成物の皮膜を形成させるために、モノオレフィン不飽和でＣ3−Ｃ6のカルボン酸モノマーまたはその無水物と、アクリル酸の脂肪鎖エステルモノマーとからなる、架橋していてもよいコポリマーを、該組成物に配合することを含む使用であり、該組成物が、
・架橋し、少なくとも９０％の中和したポリ（２−アクリルアミド−２−メチルプロパン−スルホン酸）ポリマー、および／または、
・架橋していてもよい、アクリル酸のホモポリマーまたはコポリマー、またはそれらの塩の一つを、さらに含有することを特徴とする使用。」
を、
「【請求項３】　化粧品用組成物における、移りおよび／または移入がなく、改善された保持力を有する、該組成物の皮膜を形成させるために、モノオレフィン不飽和でＣ3−Ｃ6のカルボン酸モノマーまたはその無水物と、アクリル酸の脂肪鎖エステルモノマーとからなる、架橋していてもよいコポリマーを、該組成物に配合することを含む使用であり、該組成物が、架橋し、少なくとも９０％の中和したポリ（２−アクリルアミド−２−メチルプロパン−スルホン酸）ポリマーをさらに含有することを特徴とする使用。」
と訂正する。
　
訂正事項ｄ：
　特許請求の範囲の請求項４に係る記載
「【請求項４】　色移りのない化粧品用組成物の製造のために、モノオレフィン不飽和でＣ3−Ｃ6のカルボン酸モノマーまたはその無水物と、アクリル酸の脂肪鎖エステルモノマーとからなる、架橋していてもよいコポリマーを、該組成物に配合することを含む使用であり、該組成物が、
・架橋し、少なくとも９０％の中和したポリ（２−アクリルアミド−２−メチルプロパン−スルホン酸）ポリマー、および／または、
・架橋していてもよい、アクリル酸のホモポリマーまたはコポリマー、またはそれらの塩の一つを、さらに含有することを特徴とする使用。」
を、
「【請求項４】　色移りのない化粧品用組成物の製造のために、モノオレフィン不飽和でＣ3−Ｃ6のカルボン酸モノマーまたはその無水物と、アクリル酸の脂肪鎖エステルモノマーとからなる、架橋していてもよいコポリマーを、該組成物に配合することを含む使用であり、該組成物が、架橋し、少なくとも９０％の中和したポリ（２−アクリルアミド−２−メチルプロパン−スルホン酸）ポリマーをさらに含有することを特徴とする使用。」
と訂正する。
　
訂正事項ｅ：
　特許請求の範囲の請求項１１に係る記載
「【請求項１１】　モノオレフィン不飽和でＣ3−Ｃ6のカルボン酸モノマーまたはその無水物と、アクリル酸の脂肪鎖エステルモノマーとからなる、架橋していてもよい少なくとも１つのコポリマーと、疎水表面を有する顔料とをまた含有し、水中油型エマルション、油中水型エマルション、複エマルション、または複相溶液の形態であることを特徴とする、化粧品用組成物。」
を、
「【請求項１１】　モノオレフィン不飽和でＣ3−Ｃ6のカルボン酸モノマーまたはその無水物と、アクリル酸の脂肪鎖エステルモノマーとからなる、架橋していてもよい少なくとも１つのコポリマーと、
　疎水表面を有する顔料と、
　架橋し、少なくとも９０％の中和したポリ（２−アクリルアミド−２−メチルプロパン−スルホン酸）ポリマーを含有し、水中油型エマルション、油中水型エマルション、複エマルション、または複相溶液の形態であることを特徴とする、化粧品用組成物。」
と訂正する。
　
訂正事項ｆ：
　特許請求の範囲の請求項１２に係る記載
「【請求項１２】　モノオレフィン不飽和でＣ3−Ｃ6のカルボン酸モノマーまたはその無水物と、アクリル酸の脂肪鎖エステルモノマーとからなる、架橋していてもよい少なくとも１つのコポリマーと、水溶性の染料とをまた含有し、水性ゲル、水性、水性アルコールまたは複相の溶液の形態の形態であることを特徴とする、化粧品用組成物。」
を、
「【請求項１２】　　モノオレフィン不飽和でＣ3−Ｃ6のカルボン酸モノマーまたはその無水物と、アクリル酸の脂肪鎖エステルモノマーとからなる、架橋していてもよい少なくとも１つのコポリマーと、
　水溶性の染料と、
　架橋し、少なくとも９０％の中和したポリ（２−アクリルアミド−２−メチルプロパン−スルホン酸）ポリマーを含有し、水性ゲル、水性、水性アルコールまたは複相の溶液の形態であることを特徴とする、化粧品用組成物。」
と訂正する。
　
訂正事項ｇ：
　特許請求の範囲の請求項１５に係る記載を削除する。
　
訂正事項ｈ：
　特許請求の範囲の請求項１６に係る記載
「【請求項１６】　ポリ（２−アクリルアミド−２−メチルプロパン−スルホン酸）ポリマーが、組成物の全重量に対して、０〜２０重量％の濃度で存在していることを特徴とする請求項１５に記載の組成物。」
を、
「【請求項１５】　ポリ（２−アクリルアミド−２−メチルプロパン−スルホン酸）ポリマーが、組成物の全重量に対して、０〜２０重量％の濃度で存在していることを特徴とする請求項１１ないし１４のいずれか１項に記載の組成物。」
と訂正する。
　
訂正事項ｉ：
　特許請求の範囲の請求項１７に係る記載
「【請求項１７】　架橋していてもよいアクリル酸のホモポリマーまたはコポリマー、またはそれらの塩類の一つをさらに含有することを特徴とする請求項１１ないし１６のいずれか１項に記載の組成物。」
を、
「【請求項１６】　架橋していてもよいアクリル酸のホモポリマーまたはコポリマー、またはそれらの塩類の一つをさらに含有することを特徴とする請求項１１ないし１５のいずれか１項に記載の組成物。」
と訂正する。
　　　
訂正事項ｊ：
　特許請求の範囲の請求項１８に係る記載
「【請求項１８】　ポリビニルアルコールをさらに含有することを特徴とする請求項１１ないし１７のいずれか１項に記載の組成物。」
を、
「【請求項１７】　ポリビニルアルコールをさらに含有することを特徴とする請求項１１ないし１６のいずれか１項に記載の組成物。」
と訂正する。
　
訂正事項ｋ：
　特許請求の範囲の請求項１９に係る記載
「【請求項１９】　水中油型エマルション、油中水型エマルション、複エマルション、水性ゲル、または水性、水性アルコール、または水／パウダーおよび水／油／パウダー等の多相溶液の形態であることを特徴とする請求項１１ないし１８のいずれか１項に記載の組成物。」
を、
「【請求項１８】　水中油型エマルション、油中水型エマルション、複エマルション、水性ゲル、または水性、水性アルコール、または水／パウダーおよび水／油／パウダー等の多相溶液の形態であることを特徴とする請求項１１ないし１７のいずれか１項に記載の組成物。」
と訂正する。
　
訂正事項ｌ：
　特許請求の範囲の請求項２０に係る記載
「【請求項２０】　最大で１０重量％の非揮発性の炭化水素油を含有するか、または非揮発性の炭化水素油を全く含有しないことを特徴とする請求項１１ないし１９のいずれか１項に記載の組成物。」
を、
「【請求項１９】　最大で１０重量％の非揮発性の炭化水素油を含有するか、または非揮発性の炭化水素油を全く含有しないことを特徴とする請求項１１ないし１８のいずれか１項に記載の組成物。」
と訂正する。
　
訂正事項ｍ：
　特許請求の範囲の請求項２１に係る記載
「【請求項２１】　−フェニルシリコーン油、および／またはＰＤＭＳと混合されていてもよい、揮発性で環状の油、または、
−揮発性であってもよいシリコーン油と混合され、フェニル化および／またはヒドロキシル化されたシリコーンガム等のシリコーンガム類、
等のシリコーン脂肪物質のみを含有する脂肪相を有することを特徴とする請求項１１ないし２０のいずれか１項に記載の組成物。」
を、
「【請求項２０】　−フェニルシリコーン油、および／またはＰＤＭＳと混合されていてもよい、揮発性で環状の油、または、
−揮発性であってもよいシリコーン油と混合され、フェニル化および／またはヒドロキシル化されたシリコーンガム等のシリコーンガム類、等のシリコーン脂肪物質のみを含有する脂肪相を有することを特徴とする請求項１１ないし１９のいずれか１項に記載の組成物。」
と訂正する。
　
訂正事項ｎ：
　特許請求の範囲の請求項２２に係る記載
「【請求項２２】　顔料が、組成物の全重量に対して、０〜２０重量％の割合で存在することを特徴とする請求項１１および１４ないし２１のいずれか１項に記載の組成物。」
を、
「【請求項２１】　顔料が、組成物の全重量に対して、０〜２０重量％の割合で存在することを特徴とする請求項１１および１４ないし２０のいずれか１項に記載の組成物。」
と訂正する。
　
訂正事項ｏ：
　特許請求の範囲の請求項２３に係る記載
「【請求項２３】　顔料が、二酸化チタン、二酸化ジルコニウム、または二酸化セリウム、酸化亜鉛、酸化鉄、または酸化クロム、ナノチタニア、フェリックブルー、カーボンブラック、およびアントラキノン染料、アゾ染料、またはハロ酸性染料等の酸性染料のカルシウム、バリウム、アルミニウム、またはジルコニウム塩の顔料またはナノピグメントから選択されることを特徴とする請求項１１および１４ないし２１のいずれか１項に記載の組成物。」
を、
「【請求項２２】　顔料が、二酸化チタン、二酸化ジルコニウム、または二酸化セリウム、酸化亜鉛、酸化鉄、または酸化クロム、ナノチタニア、フェリックブルー、カーボンブラック、およびアントラキノン染料、アゾ染料、またはハロ酸性染料等の酸性染料のカルシウム、バリウム、アルミニウム、またはジルコニウム塩の顔料またはナノピグメントから選択されることを特徴とする請求項１１および１４ないし２０のいずれか１項に記載の組成物。」
と訂正する。
　
訂正事項ｐ：
　特許請求の範囲の請求項２４に係る記載
「【請求項２４】　顔料が、ポリエチレン等のポリマー、および／またはＰＤＭＳ等のシリコーン化合物で被覆されていることを特徴とする請求項２３に記載の組成物。」
を、
「【請求項２３】　顔料が、ポリエチレン等のポリマー、および／またはＰＤＭＳ等のシリコーン化合物で被覆されていることを特徴とする請求項２２に記載の組成物。」
と訂正する。
　
訂正事項ｑ：
　特許請求の範囲の請求項２５に係る記載
「【請求項２５】　水溶性の染料が、軽石の二ナトリウム塩、キノリン−イエロー、アリザリン−グリーンの二ナトリウム塩、アマランスの三ナトリウム塩、タートラジンの二ナトリウム塩、ローダミンの一ナトリウム塩、キサントフィル、およびフクシンの二ナトリウム塩から選択されるものであることを特徴とする請求項１２ないしの２４のいずれか１項に記載の組成物。」
を、
「【請求項２４】　水溶性の染料が、軽石の二ナトリウム塩、キノリン−イエロー、アリザリン−グリーンの二ナトリウム塩、アマランスの三ナトリウム塩、タートラジンの二ナトリウム塩、ローダミンの一ナトリウム塩、キサントフィル、およびフクシンの二ナトリウム塩から選択されるものであることを特徴とする請求項１２ないしの２３のいずれか１項に記載の組成物。」
と訂正する。
　
訂正事項ｒ：
　特許請求の範囲の請求項２６に係る記載
「【請求項２６】　ファンデーション、ほほ紅、アイシャドウ、棒状口紅、マスカラ、アイライナー、またはネイルラッカー等の、皮膚、半粘膜、粘膜、および／または皮膚骨格をメークアップするための組成物；唇の手入れ用ベース；皮膚、半粘膜、粘膜、および／または皮膚骨格の手入れ用製品；抗日光または自己サンタン製品；ヘアケア用製品の形態であることを特徴とする請求項１１ないし２５のいずれか１項に記載の組成物。」
を、
「【請求項２５】　ファンデーション、ほほ紅、アイシャドウ、棒状口紅、マスカラ、アイライナー、またはネイルラッカー等の、皮膚、半粘膜、粘膜、および／または皮膚骨格をメークアップするための組成物；唇の手入れ用ベース；皮膚、半粘膜、粘膜、および／または皮膚骨格の手入れ用製品；抗日光または自己サンタン製品；ヘアケア用製品の形態であることを特徴とする請求項１１ないし２４のいずれか１項に記載の組成物。」
と訂正する。
　
訂正事項ｓ：
　特許請求の範囲の請求項２７に係る記載
「【請求項２７】　モノオレフィン不飽和でＣ3−Ｃ6のカルボン酸モノマーまたはその無水物と、アクリル酸の脂肪鎖エステルモノマーとからなる、架橋していてもよい、少なくとも１つのコポリマーを含有する、色移りのないファンデーション。」
を、
「【請求項２６】　モノオレフィン不飽和でＣ3−Ｃ6のカルボン酸モノマーまたはその無水物と、アクリル酸の脂肪鎖エステルモノマーとからなる、架橋していてもよい、少なくとも１つのコポリマー、及び、
　架橋し、少なくとも９０％の中和したポリ（２−アクリルアミド−２−メチルプロパン−スルホン酸）ポリマー
を含有する、色移りのないファンデーション。」
と訂正する。
　
訂正事項ｔ：
　特許請求の範囲の請求項２８に係る記載
「【請求項２８】　モノオレフィン不飽和でＣ3−Ｃ6のカルボン酸モノマーまたはその無水物と、アクリル酸の脂肪鎖エステルモノマーとからなる、架橋していてもよい、少なくとも１つのコポリマーを、皮膚、粘膜、半粘膜、および／または皮膚骨格をメークアップまたは手入れするための化粧品用組成物に導入することを特徴とする、該組成物の移りを、制限、減少、および／または防止させる方法。」
を、
「【請求項２７】　モノオレフィン不飽和でＣ3−Ｃ6のカルボン酸モノマーまたはその無水物と、アクリル酸の脂肪鎖エステルモノマーとからなる、架橋していてもよい、少なくとも１つのコポリマー、及び、
　架橋し、少なくとも９０％の中和したポリ（２−アクリルアミド−２−メチルプロパン−スルホン酸）ポリマー
を、皮膚、粘膜、半粘膜、および／または皮膚骨格をメークアップまたは手入れするための化粧品用組成物に導入することを特徴とする、該組成物の移りを、制限、減少、および／または防止させる方法。」
と訂正する。
　
訂正事項ｕ：
　特許請求の範囲の請求項２９に係る記載
「【請求項２９】　請求項１１ないし２６のいずれか１項に記載の組成物、または請求項２７に記載のファンデーションを、皮膚、粘膜、半粘膜、および／または皮膚骨格に適用することからなる、皮膚、半粘膜、粘膜、および／または皮膚骨格のメークアップ方法。」
を、
「【請求項２８】　請求項１１ないし２５のいずれか１項に記載の組成物、または請求項２６に記載のファンデーションを、皮膚、粘膜、半粘膜、および／または皮膚骨格に適用することからなる、皮膚、半粘膜、粘膜、および／または皮膚骨格のメークアップ方法。」
と訂正する。
　
（２）訂正の適否
ｉ）訂正前の本件特許明細書の特許請求の範囲には、請求項１に係る使用発明において、モノオレフィン不飽和でＣ3−Ｃ6のカルボン酸モノマーまたはその無水物と、アクリル酸の脂肪鎖エステルモノマーとからなる、架橋していてもよい、少なくとも１つのコポリマー（以下、「ポリマー１」と称する）と組み合わされるべき他の成分として、
・架橋し、少なくとも９０％の中和したポリ（２−アクリルアミド−２−メチルプロパン−スルホン酸）ポリマー（以下、「ポリマー２」と称する）、
　および／または、
・架橋していてもよい、アクリル酸のホモポリマーまたはコポリマー、またはそれらの塩の一つ（以下、「ポリマー３」と称する）
が規定されていたが、訂正事項ａは、ポリマー３を当該他の成分の範疇から削除するものである。
　ところで、上記「および／または」の記載から明らかなように、特許査定時には、請求項１に係る使用発明において、ポリマー１と組み合わされるべき成分として（ｉ）ポリマー２単独、（ｉｉ）ポリマー３単独、並びに、（ｉｉｉ）ポリマー２とポリマー３の両者、が規定されていたが、訂正事項ａは、ポリマー１と組み合わされるべき成分をポリマー２単独に限定している。したがって、訂正事項ａは特許請求の範囲の減縮に相当するものであり、特許法第１２０条の４第２項但書き第１号の規定に適合する。
　また、この訂正は明らかに願書に添付した明細書に記載した事項の範囲内の訂正であり、また、実質上特許請求の範囲を拡張し、又は変更するものでもない。
　したがって、上記訂正事項は、特許法第１２０条の４第３項で準用する第１２６条第２項及び第３項の規定に適合するものである。
　
ｉｉ）上記訂正事項ｂ〜ｄは、基本的に訂正事項ａの訂正内容と等しいものである。
　したがって、訂正事項ａと同様に、訂正事項ｂ〜ｄは特許法第１２０条の４第２項但書き第１号の規定に適合するものである。
　また、この訂正は明らかに願書に添付した明細書に記載した事項の範囲内の訂正であり、また、実質上特許請求の範囲を拡張し、又は変更するものでもない。
　したがって、上記訂正事項は、特許法第１２０条の４第３項で準用する第１２６条第２項及び第３項の規定に適合するものである。
　
ｉｉｉ）上記訂正事項ｅ及びｆは、訂正前の特許請求の範囲の請求項１１及び１２に係る化粧品用組成物を、訂正前の請求項１５の規定内容に限定するものであり、明らかに、特許請求の範囲の減縮に相当する。
　また、訂正前の特許請求の範囲の請求項１２の、「・・・の形態の形態である」との記載を「・・・の形態である」とする訂正は、明らかに誤記の訂正に相当する。
　したがって、これらの訂正事項は特許法第１２０条の４第２項但書き第１号及び第２号の規定に適合するものである。
　また、この訂正は明らかに願書に添付した明細書に記載した事項の範囲内の訂正であり、また、実質上特許請求の範囲を拡張し、又は変更するものでもない。
　したがって、上記訂正事項は、特許法第１２０条の４第３項で準用する第１２６条第２項及び第３項の規定に適合するものである。
　
ｉｖ）上記訂正事項ｇは、訂正前の特許請求の範囲の請求項１５を削除するものであるから、明らかに特許請求の範囲の減縮に相当するものである。したがって、この訂正事項は特許法第１２０条の４第２項但書き第１号の規定に適合する。
　また、この訂正は明らかに願書に添付した明細書に記載した事項の範囲内の訂正であり、また、実質上特許請求の範囲を拡張し、又は変更するものでもない。
　したがって、上記訂正事項は、特許法第１２０条の４第３項で準用する第１２６条第２項及び第３項の規定に適合するものである。
　
ｖ）上記訂正事項ｈ〜ｒ及びｕは、訂正前の特許請求の範囲の請求項１５の削除に合わせて、引用する請求項番号を変更するものであるから、明らかに、明りょうでない記載の釈明に相当するものである。したがって、この訂正事項は特許法第１２０条の４第２項但書き第３号の規定に適合する。
　そして、この訂正は明らかに願書に添付した明細書に記載した事項の範囲内の訂正であり、また、実質上特許請求の範囲を拡張し、又は変更するものでもない。
　したがって、上記訂正事項は、特許法第１２０条の４第３項で準用する第１２６条第２項及び第３項の規定に適合するものである。
　
ｖｉ）訂正事項ｓは、訂正前の特許請求の範囲の請求項２７に係る特許発明において、ポリマー１に加えて、ポリマー２を必須成分と規定するものであるから、特許請求の範囲の減縮に相当するものである。したがって、この訂正事項は特許法第１２０条の４第２項但書き第１号の規定に適合する。
　ところで、ポリマー１及びポリマー２を共に必須成分として含む化粧品用組成物は訂正前の特許請求の範囲の請求項１５にそもそも規定されていたのであるから、訂正事項ｓは明らかに願書に添付した明細書に記載した事項の範囲内の訂正であり、また、実質上特許請求の範囲を拡張し、又は変更するものでもない。
　したがって、上記訂正事項は、特許法第１２０条の４第３項で準用する第１２６条第２項及び第３項の規定に適合するものである。
　
ｖｉｉ）訂正事項ｔは、訂正前の特許請求の範囲の請求項２８に係る方法発明において、化粧品用組成物に導入されるべき必須成分としてポリマー１に加えて、ポリマー２を必須成分と規定するものであるから、特許請求の範囲の減縮に相当するものである。したがって、この訂正事項は特許法第１２０条の４第２項但書き第１号の規定に適合する。
　ところで、ポリマー１及びポリマー２を共に必須成分として組み合わせて化粧品用組成物に配合することは訂正前の特許請求の範囲の請求項１〜４において、ポリマー同士の組み合わせの選択肢の一つとして規定されていたのであるから、訂正事項ｔは明らかに願書に添付した明細書に記載した事項の範囲内の訂正であり、また、実質上特許請求の範囲を拡張し、又は変更するものでもない。
　したがって、上記訂正事項は、特許法第１２０条の４第３項で準用する第１２６条第２項及び第３項の規定に適合するものである。
　
　以上のとおりであるので、本件訂正を認める。
　
３．特許異議の申立てについて
（１）申立ての理由の概要
　特許異議申立人は、甲第１号証〜甲第６号証及び参考資料１を提出して、本件特許の請求項１〜１４、１７〜２９に係る発明は、甲第１号証〜甲第６号証に記載された発明、ないしは甲第１号証〜甲第６号証に記載された発明に基づいて当業者が容易に発明できたものであるから、本件特許の請求項１〜１４、１７〜２９に係る発明の特許は、特許法第２９条に違反してされたものであり、特許法第１１３条第１項第２号に該当するので、取り消されべきものである旨を主張している。
　
（２）本件発明
　上記２．に示したように本件訂正は認められるから、本件発明は、訂正明細書の特許請求の範囲の請求項１〜２８に記載された事項により特定された、次のとおりのものである。
　
【請求項１】　化粧品用組成物における、移りおよび／または移入を制限、減少、および／または改善させるために、モノオレフィン不飽和でＣ3−Ｃ6のカルボン酸モノマーまたはその無水物と、アクリル酸の脂肪鎖エステルモノマーとからなる、架橋していてもよいコポリマーを、該組成物に配合することを含む使用であり、該組成物が、架橋し、少なくとも９０％の中和したポリ（２−アクリルアミド−２−メチルプロパン−スルホン酸）ポリマーをさらに含有することを特徴とする使用。
【請求項２】　化粧品用組成物における、保持力を改善するために、モノオレフィン不飽和でＣ3−Ｃ6のカルボン酸モノマーまたはその無水物と、アクリル酸の脂肪鎖エステルモノマーとからなる、架橋していてもよいコポリマーを、該組成物に配合することを含む使用であり、該組成物が、架橋し、少なくとも９０％の中和したポリ（２−アクリルアミド−２−メチルプロパン−スルホン酸）ポリマーをさらに含有することを特徴とする使用。
【請求項３】　化粧品用組成物における、移りおよび／または移入がなく、改善された保持力を有する、該組成物の皮膜を形成させるために、モノオレフィン不飽和でＣ3−Ｃ6のカルボン酸モノマーまたはその無水物と、アクリル酸の脂肪鎖エステルモノマーとからなる、架橋していてもよいコポリマーを、該組成物に配合することを含む使用であり、該組成物が、架橋し、少なくとも９０％の中和したポリ（２−アクリルアミド−２−メチルプロパン−スルホン酸）ポリマーをさらに含有することを特徴とする使用。
【請求項４】　色移りのない化粧品用組成物の製造のために、モノオレフィン不飽和でＣ3−Ｃ6のカルボン酸モノマーまたはその無水物と、アクリル酸の脂肪鎖エステルモノマーとからなる、架橋していてもよいコポリマーを、該組成物に配合することを含む使用であり、該組成物が、架橋し、少なくとも９０％の中和したポリ（２−アクリルアミド−２−メチルプロパン−スルホン酸）ポリマーをさらに含有することを特徴とする使用。
【請求項５】　前記コポリマーが、組成物の全重量に対して、０．０１〜３重量％の濃度で存在していることを特徴とする請求項１ないし４のいずれか１項に記載の使用。
【請求項６】　組成物が、ポリビニルアルコールをさらに含有することを特徴とする請求項１ないし５のいずれか１項に記載の使用。
【請求項７】　組成物が、水中油型エマルション、油中水型エマルション、複エマルション、水性ゲル、または水性、水性アルコール、または水／パウダーおよび水／油／パウダー等の多相溶液の形態であることを特徴とする請求項１ないし６のいずれか１項に記載の使用。
【請求項８】　組成物が、最大で１０重量％の非揮発性の炭化水素油を含有するか、または非揮発性の炭化水素油を全く含有しないことを特徴とする請求項１ないし７のいずれか１項に記載の使用。
【請求項９】　組成物が、
−フェニルシリコーン油、および／またはＰＤＭＳと混合されていてもよい、揮発性で環状の油、または、
−揮発性であってよいシリコーン油と混合され、フェニル化および／またはヒドロキシル化されたシリコーンガム等のシリコーンガム類、
等のシリコーン脂肪物質のみを含有する脂肪相を有することを特徴とする請求項７または８に記載の使用。
【請求項１０】　組成物が、ファンデーション、ほほ紅、アイシャドウ、棒状口紅、マスカラ、アイライナー、またはネイルラッカー等の、皮膚、半粘膜、粘膜、および／または皮膚骨格をメークアップするための組成物；唇の手入れ用ベース；皮膚、半粘膜、粘膜、および／または皮膚骨格の手入れ用製品；衛生用または製薬用製品；抗日光または自己サンタン製品；ヘアケア用製品の形態であることを特徴とする請求項１ないし９のいずれか１項に記載の使用。
【請求項１１】　モノオレフィン不飽和でＣ3−Ｃ6のカルボン酸モノマーまたはその無水物と、アクリル酸の脂肪鎖エステルモノマーとからなる、架橋していてもよい少なくとも１つのコポリマーと、
　疎水表面を有する顔料と、
　架橋し、少なくとも９０％の中和したポリ（２−アクリルアミド−２−メチルプロパン−スルホン酸）ポリマーを含有し、水中油型エマルション、油中水型エマルション、複エマルション、または複相溶液の形態であることを特徴とする、化粧品用組成物。             
【請求項１２】　　モノオレフィン不飽和でＣ3−Ｃ6のカルボン酸モノマーまたはその無水物と、アクリル酸の脂肪鎖エステルモノマーとからなる、架橋していてもよい少なくとも１つのコポリマーと、
　水溶性の染料と、
　架橋し、少なくとも９０％の中和したポリ（２−アクリルアミド−２−メチルプロパン−スルホン酸）ポリマーを含有し、水性ゲル、水性、水性アルコールまたは複相の溶液の形態であることを特徴とする、化粧品用組成物。
【請求項１３】　コポリマーのカルボン酸モノマーまたはその無水物の量が、８０〜９８重量％であり；アクリル酸エステルモノマーの量が、２〜２０重量％であることを特徴とする請求項１１または１２に記載の組成物。
【請求項１４】　前記コポリマーが、組成物の全重量に対して、０．０１〜３重量％の濃度で存在していることを特徴とする請求項１１ないし１３のいずれか１項に記載の組成物。
【請求項１５】　ポリ（２−アクリルアミド−２−メチルプロパン−スルホン酸）ポリマーが、組成物の全重量に対して、０〜２０重量％の濃度で存在していることを特徴とする請求項１１ないし１４のいずれか１項に記載の組成物。
【請求項１６】　架橋していてもよいアクリル酸のホモポリマーまたはコポリマー、またはそれらの塩類の一つをさらに含有することを特徴とする請求項１１ないし１５のいずれか１項に記載の組成物。
【請求項１７】　ポリビニルアルコールをさらに含有することを特徴とする請求項１１ないし１６のいずれか１項に記載の組成物。
【請求項１８】　水中油型エマルション、油中水型エマルション、複エマルション、水性ゲル、または水性、水性アルコール、または水／パウダーおよび水／油／パウダー等の多相溶液の形態であることを特徴とする請求項１１ないし１７のいずれか１項に記載の組成物。
【請求項１９】　最大で１０重量％の非揮発性の炭化水素油を含有するか、または非揮発性の炭化水素油を全く含有しないことを特徴とする請求項１１ないし１８のいずれか１項に記載の組成物。
【請求項２０】　−フェニルシリコーン油、および／またはＰＤＭＳと混合されていてもよい、揮発性で環状の油、または、
−揮発性であってもよいシリコーン油と混合され、フェニル化および／またはヒドロキシル化されたシリコーンガム等のシリコーンガム類、
等のシリコーン脂肪物質のみを含有する脂肪相を有することを特徴とする請求項１１ないし１９のいずれか１項に記載の組成物。
【請求項２１】　顔料が、組成物の全重量に対して、０〜２０重量％の割合で存在することを特徴とする請求項１１および１４ないし２０のいずれか１項に記載の組成物。
【請求項２２】　顔料が、二酸化チタン、二酸化ジルコニウム、または二酸化セリウム、酸化亜鉛、酸化鉄、または酸化クロム、ナノチタニア、フェリックブルー、カーボンブラック、およびアントラキノン染料、アゾ染料、またはハロ酸性染料等の酸性染料のカルシウム、バリウム、アルミニウム、またはジルコニウム塩の顔料またはナノピグメントから選択されることを特徴とする請求項１１および１４ないし２０のいずれか１項に記載の組成物。
【請求項２３】　顔料が、ポリエチレン等のポリマー、および／またはＰＤＭＳ等のシリコーン化合物で被覆されていることを特徴とする請求項２２に記載の組成物。
【請求項２４】　水溶性の染料が、軽石の二ナトリウム塩、キノリン−イエロー、アリザリン−グリーンの二ナトリウム塩、アマランスの三ナトリウム塩、タートラジンの二ナトリウム塩、ローダミンの一ナトリウム塩、キサントフィル、およびフクシンの二ナトリウム塩から選択されるものであることを特徴とする請求項１２ないしの２３のいずれか１項に記載の組成物。
【請求項２５】　ファンデーション、ほほ紅、アイシャドウ、棒状口紅、マスカラ、アイライナー、またはネイルラッカー等の、皮膚、半粘膜、粘膜、および／または皮膚骨格をメークアップするための組成物；唇の手入れ用ベース；皮膚、半粘膜、粘膜、および／または皮膚骨格の手入れ用製品；抗日光または自己サンタン製品；ヘアケア用製品の形態であることを特徴とする請求項１１ないし２４のいずれか１項に記載の組成物。
【請求項２６】　モノオレフィン不飽和でＣ3−Ｃ6のカルボン酸モノマーまたはその無水物と、アクリル酸の脂肪鎖エステルモノマーとからなる、架橋していてもよい、少なくとも１つのコポリマー、及び、
　架橋し、少なくとも９０％の中和したポリ（２−アクリルアミド−２−メチルプロパン−スルホン酸）ポリマー
を含有する、色移りのないファンデーション。
【請求項２７】　モノオレフィン不飽和でＣ3−Ｃ6のカルボン酸モノマーまたはその無水物と、アクリル酸の脂肪鎖エステルモノマーとからなる、架橋していてもよい、少なくとも１つのコポリマー、及び、
　架橋し、少なくとも９０％の中和したポリ（２−アクリルアミド−２−メチルプロパン−スルホン酸）ポリマー
を、皮膚、粘膜、半粘膜、および／または皮膚骨格をメークアップまたは手入れするための化粧品用組成物に導入することを特徴とする、該組成物の移りを、制限、減少、および／または防止させる方法。
【請求項２８】　請求項１１ないし２５のいずれか１項に記載の組成物、または請求項２６に記載のファンデーションを、皮膚、粘膜、半粘膜、および／または皮膚骨格に適用することからなる、皮膚、半粘膜、粘膜、および／または皮膚骨格のメークアップ方法。
　
（３）甲第１号証〜甲第６号証、参考資料１及びその記載
　
甲第１号証（特表平８一５０１４８８号公報）
　
（ｉ）（Ａ）Ｃ3−Ｃ6のモノエチレンカルボン酸／脂肪鎖を有するアクリルエステルの酸コポリマーもしくは酸無水物コボリマー型の脂肪族鎖を有する少なくとも一つのゲル化剤を含むゲル化された外部連続相と、（Ｂ）少なくとも一つのシリコーン油とシリコーン系乳化剤とを含み水性相とともに第１のＷ／Ｏエマルジョンをなすシリコーン系油脂相とを含む水／シリコーン油／水のゲル化された三元エマルジョンが記載され（特許請求の範囲１項）、上記ゲル化された外部水性相が、カルボキシビニルポリマー、グリセリルポリメタクリレートを含んでもよいことが記載されている（特許請求の範囲２項）。
（ｉｉ）この発明の（Ａ）成分のコポリマーは、ＰＥＭＵＬＥＮ、ＣＡＲＢＯＰＯＬ　１３４２の名で市販されていること、また上記のカルボキシビニルポリマ一はＣＡＲＢＯＰＯＬ　９８０、９４２、９５０の名で市販されていることが記載されている（７頁４〜８頁７行）。
（ｉｉｉ）実施例１には、１００ｇ中にＣＡＲＢＯＰＯＬ　１３４２（脂肪鎖のあるゲル化剤）０．３ｇとＣＡＲＢＯＰＯＬ　９８０　０．３ｇと染料の十分な量を配合したＢ相を、ＤＣ　ＱＣ　Ｆ２　１６７１（シリコーンガム）、ＶＯＬＡＴＩＬ　ＳＩＬＩＣＯＮＥ　７１５８（シリコーン油）を配合したＷ／ＯのＡ相に混合して癖身用三元エマルジョンを調製することが記載されている。
　また、甲第１号証の実施例２には、１００ｇ中にＣＡＲＢＯＰＯＬ　１３４２（脂肪鎖のあるゲル化剤）０．３ｇ　ＣＡＲＢＯＰＯＬ　９８０（ゲル化剤）０３ｇを配合したＣ相と、ＶＯＬＡＴＩＬ　ＳＩＬＩＣＯＮＥ　７１５８（シリコーン油）のＢ相とＤＣ　ＦＬＵＩＤ２００（シリコーン油）及びＤＣ　ＦＬＵＩＤ５９３（ノリコーノ油）を含むＷ／ＯのＡ相とを混合して手のための三元エマルジョンを調製することが記載されている。
（ｉｖ）更にＣＡＲＢＯＰＯＬ１３４２は、グッドリッチ社製で、「アクリル酸／Ｃ１ｏ〜Ｃ３０アルキルアクリレート（ＣＴＦＡによる呼称：アクリレート／Ｃ１０〜Ｃ３０アルキルアクリレートクロスポリマー）」であること（３４頁９〜１２行）、ＣＡＲＢＯＰＯＬ　９８０はグッドリッチ社製で「エチルアセテート／シクロヘキサン混合物中で合成されるカルポキシビニルポリマー」てあること（３３貢２０〜２２行）が記載されている。
　また、上記シリコーンの商標名についてＤＣ　ＱＣ　Ｆ２　１６７１（シリコーンガム：ジメチコノール／シクロメチコン）ＶＯＬＡＴＩＬ　ＳＩＬＩＣＯＮＥ　７１５８（シリコーン油：シクロペンタジメチルシロキサン）ＤＣ　ＦＬＵＩＤ　２００（シリコーン油：ポリメチルシロキサン）ＤＣ　ＦＬＵＩＤ　５９３（シリコーン油：トリメチルシロキシシリケート／ポリジメチルシロキサン）と記載されている（３３〜３４頁）。
　なお、甲第１号証には、ポリフェニルトリメチルシロキサン（ＰＨＥＮＹＬＴＲＩＭＥＴＨＩＣＯＮＥ）を使用してもよいことが記載されている（１０頁１５〜１９行）。
　
甲第２号証（特開平７一１８７９５０号公報）
　
　実施例７に、アルキル変性カルボキシビニルポリマー０３重量％、カルボキシビニルポリマー０．３重量％、３０％シリカ被覆酸化チタン５重量％、ベンガラ０３重量％、黄酸化鉄０．６重量％、黒酸化鉄０１重量％を含む肌色クリームが記載されている。
　また、実施例８には、アルキル変性カルボキシビニルポリマー０．３重量％、５％テフロン処理酸化チタン（補正後、５％パーフルオロアルキルリン酸エステルジエタノールアミノ処理酸化チタン）２重量％、４０％シリカ被覆酸化チタン２重量％を含有する乳液が記載されている。
　そしてアルキル変性カルボキシビニルポリマ−はカーボポール１３４２、ペニュレンＴＲＩ、ペニュレンＴＲＩＩ（いずれも、グッドリッチ社製）として市販されているものが使用できること（１欄３６〜４２行）、粉体は酸化チタン、酸化亜鉛、べンガラ等の無機着色顔料、タール色素、天然色素等の有機顔料等が用いられることが記載されている（２欄４４行〜３欄９行）。
　
甲第３号証（特開平５-１９４１４７号公報）
　
　実施例１に、市販名がＰｅｍｕｌｅｎ　ＴＲ２のアルキル化カルボキシビニルポリマー０．１重量％、市販名がＣａｒｂｏｐｏｌ　９４０のカルボキシビニルポリマ−０．６重量％、トリエタノールアミノ０.８重量％、ポリジメチルシロキサノール５重量％、アルキルジメチコン４重量％、アルコキシジメチコン１１重量％、シクロメチコン５重量％、二酸化チタン４重量％、黄色酸化鉄１.４３重量％、赤色酸化鉄０.５５重量％、黒色酸化鉄０．２２重量％、水残量からなるメークアップファンデーションが記載されている。これは溶融したシリコンワックスをアクリルポリマーを含有する水性相中に添加し脂肪相を水性相中に分散させて調製することが記載されている（８欄３０〜３９行）。
　
甲第４号証（特開平６-２５６１３６号公報）
　
　ポリアクリル酸及びその誘導体の一種又は二種以上と、その中和剤、水酸基を有する水溶性化合物、液状物及び水を含有する透明又は半透明化粧料が記載されている（請求項１）。
　その実施例１には、アクリル酸・メタクリル酸アルキル共重合体（アルキル基の炭素数１０〜３０）０.２重量％、カルボキシビニルポリマー０.２重量％を含有する透明ハンドクリームが記載されている。
　
甲第５号証（特開平８−１５７３２３号公報）
　
　カルボキシビニルポリマー及び／又はアルキル変性カルボキシビニルポリマー０.０１〜１０重量％と油性基材とを含有する油性化粧料が記載されている（請求項１、３）。そして、この化粧料は塗布後色移りしにくくしかも色持ちが良いことが記載されている（１欄３８〜４１行）。力ルポキシピニルポリマー、アルキル変性カルボキシビニルポリマーは、カーボポール９４０、カーボポール９４１、カーボポール１３４２、ペミュレンＴＲＩ、ペミュレンＴＲ２（いずれも、グッドリッチ社製）であることが記載されている（２欄８〜１５行）。
　実施例７にはカルボキシビニルポリマー１.０重量％、アルキル変性力ルボキシビニルポリマー（ペミュレンＴＲＩ）１.０重量％を含む色移りしにくい口紅が記載されている。
　
甲第６号証（特開平８-８１３４９号公報）
　
　水とポリビニルアルコールとアクリル酸・アクリルメタクリレート共重合体を含む化粧料が記載されている（請求項１）。アクリル酸・アクリルメタクリレート共重合体はカーボポール１３４２、ＰＥＭＵＬＥＮ　ＴＲ‐１、ＰＥＭＵＬＥＮ　ＴＲ‐２（グッドリッチ社製）であることが記載されている（２欄２９〜３５行）。また着色材を配合させてもよいことが記載され、着色材として水溶性染料が挙げられている（２欄４２行〜３欄２行）。
　実施例１に、精製水３８.７重量部、エタノール３７.０重量部、ＰＶＡ−２１７（ポリビニルアルコール）４.０重量部グリセリン５.７重量部、エチレングリコール４.３重量部、ＨＣＯ−４０（ポリオキシエチレン硬化ヒマシ油）０.６重量部、メッキンスＢ０.６重量部、低密度ポリエチレンと青色４０４号の複合顔料（５：１の割合でボールミルで１.５時間撹拌したもの）８.７重量部、ＰＥＭＵＬＥＮ　ＴＲ‐１　０．４重量部からなる化粧料が記載されている。
　
参考資料１（「Ｉｎｔｅｒｎａｔｉｏｎａｌ　Ｃｏｓｍｅｔｉｃ 　Iｎｇｒｅｄiｅｎｔ 　Ｄｉｃｔｉｏｎａｒｙ」第５版（１９９３年）ＶＯＬ．1Ｍｏｎｏｇｒａｐｈｓ・１４貢及びＭｏｎｏｇｒａｐｈｓ・９２〜９３頁）
　
　Ｍｏｎｏｇｒａｐｈｓ　１４頁
　「アクリレート／Ｃ１０−３０アルキルアクリレート架橋ポリマー」定義：アクリレート／Ｃ１０-３０アルキルアクリレート架橋ポリマーは、Ｃ１０−３０アルキルアクリレートと、アクリル酸メタクリル酸或いはサッカロ−ズのアリルエーテル又はペンタエリスリトールのアリルエーテルで架橋されたそれらのエーテルの一種又はそれ以上とのコポリマーである。
　商品名：Ｃａｒｂｏｐｏｌ（力ルボポール）１３４２（グッドリッチ社）
　　　　　Ｃａｒｂｏｐｏｌ（力ルボポール）１３８２（グッドリッチ社）
　　　　　Ｐｅｍｕｌｅｎ（ぺムレン）ＴＲ‐１（グッドリッチ社）
　　　　　Ｐｅｍｕｌｅｎ（ぺムレン）ＴＲ‐２（グッドリッチ社）
　
　Ｍｏｎｏｇｒａｐｈｓ９２〜９３頁
「カルボマー」
　ＣＡＳ　Ｎｕｍｂｅｒｓ：９００７‐１６‐３；９００３‐０１‐４；９００７‐１７‐４；７６０５０−４２−５
　定義：「カルボマー」はペンタエリスリトールのアリルエーテル、サッカローズのアリルエーテル又はプロピレンのアリルエーテルで架橋されたアクリル酸のホモポリマーである。
　商品名：
　　　　（前略）
　　　　Ｃａｒｂｏｐｏｌ（カルボポール）９１０（グッドリッチ社）
　　　　Ｃａｒｂｏｐｏｌ（力ルポポール）９３４（グッドリッチ社）
　　　　Ｃａｒｂｏｐｏｌ（力ルボポール）９４０（グッドリッチ社）
　　　　Ｃａｒｂｏｐｏｌ（カルボポール）９４１（グッドリッチ社）
　　　　Ｃａｒｂｏｐｏｌ（力ルボポール）９５４（グッドリッチ社）
　　　　Ｃａｒｂｏｐｏｌ（カルボポール）９８０（グッドリッチ社）
　　　　Ｃａｒｂｏｐｏｌ（カルボポール）９８１（グッドリッチ社）
　　　　Ｃａｒｂｏｐｏｌ（力ルポポール）２９８４（グッドリッチ社）
　　　　Ｃａｒｂｏｐｏｌ（カルボポール）５９８４（グッドリッチ社）
　　　　Ｃａｒｂｏｐｏｌ（カルボポール）９３４Ｐ（グッドリッチ社）
　　　　（後略）
　
（６）対比・判断
　訂正前の本件特許明細書の請求項１〜２９に記載された発明は、
（α）モノオレフィン不飽和でＣ3−Ｃ6のカルボン酸モノマー又はその無水物と、アクリル酸の脂肪鎖エステルモノマーとからなる、架橋してもよいコポリマー（ポリマー１）、
が必須成分として配合された化粧品組成物及びその使用方法に関するものである。
　
　上記ポリマー１〜３に注目して、各請求項を整理すると、
請求項１〜１０は、ポリマー１に、さらに
（β）架橋し、少なくとも９０％の中和したポリ（２-アクリルアミト−２-メチルプロパン−スルホン酸ポリマー（ポリマー２）、
および／または
（γ）架橋していてもよい、アクリル酸のホモポリマ−又はコポリマー、又はそれらの塩（ポリマー３）、
を含む化粧品用組成物（α、α＋β、α＋γ、α＋β＋γ）の使用に関する発明であり、
請求項１１〜１４は、
上記ポリマー１を含有する化粧品組成物（α）に関する発明であり、
請求項１５〜１６は、
上記ポリマー１にさらにポリマー２を含有する化粧品組成物（α＋β）に関する発明であり、
請求項１７〜２６、ポリマー１にさらにポリマー３を含有する化粧品組成物（α＋γ）に関する発明であり、
請求項２７は、ポリマー１を含有するファンデーション（α）であり、
請求項２８〜２９は、少なくともポリマー１を含む化粧品組成物（α）を使用する方法である。
　
　特許異議申立人が主張するように、甲第１号証〜甲第６号証には、上記ポリマー１を含有する化粧品組成物（α）又はポリマー１とポリマー３を含有する化粧品組成物（α＋γ）が記載されているため、訂正前の請求項１〜１４、１７〜２９に係る発明は、甲第１号証〜甲第６号証に記載された発明であるか、又は甲第１号証〜甲第６号証に記載された発明に基づいて当業者が容易に発明できたものといえるから、訂正前の請求項１〜１４，１７〜２９に係る特許は、特許法第１１３条第３項に該当する。
　
　しかしながら、上述したように、訂正請求に基づいて、ポリマー１単独の組成物（α）又はポリマー１にさらにポリマー３を含有する組成物（α＋γ）を特許請求の範囲から削除する訂正又はポリマー２（β）を含有することを必須要件とする訂正が認められた結果、訂正明細書に記載された特許請求の範囲のすべての請求項に係る発明が、ポリマー１にさらにポリマー２を含有する化粧品組成物（α＋β）又はその使用方法となった。　
 　
 そして、甲第１号証〜甲第６号証のいずれにも、訂正後の特許請求の範囲の請求項１〜１４、１６〜２８に係る発明に記載された上記ポリマー１にさらにポリマー２を含有する組成物（α＋β）又はその使用方法に関する発明は、記載されていない。また、訂正後の特許請求の範囲の請求項１〜１４、１６〜２８に係る発明は、甲第１号証〜甲第６号証に記載された発明から当業者が容易に発明できたものであるとも認めることができない。（なお、訂正後の請求項１５は、訂正前の請求項１６に相当するものであって、本件特許異議申立の対象となっていない。）
　
４．むすび
　以上のとおりであるから、特許異議申立ての理由及び証拠によっては、訂正後の本件特許の請求項１〜１４、１６〜２８に係る発明についての特許は取り消すことができない。
　また、他に本件の請求項１〜１４、１６〜２８に係る発明についての特許を取り消すべき理由を発見しない。
　
　よって、結論のとおり決定する。
【異議決定日】
平成１３年１０月２４日（２００１．１０．２４）
【訂正の要旨】
訂正の要旨
訂正事項ａ：
　特許請求の範囲の減縮を目的として、特許請求の範囲の請求項１に係る記載
「【請求項１】　化粧品用組成物における、移りおよび／または移入を制限、減少、および／または改善させるために、モノオレフィン不飽和でＣ３−Ｃ６のカルボン酸モノマーまたはその無水物と、アクリル酸の脂肪鎖エステルモノマーとからなる、架橋していてもよいコポリマーを、該組成物に配合することを含む使用であり、該組成物が、
・架橋し、少なくとも９０％の中和したポリ（２−アクリルアミド−２−メチルプロパン−スルホン酸）ポリマー、および／または、
・架橋していてもよい、アクリル酸のホモポリマーまたはコポリマー、またはそれらの塩の一つを、さらに含有することを特徴とする使用。」
を、
「【請求項１】　化粧品用組成物における、移りおよび／または移入を制限、減少、および／または改善させるために、モノオレフィン不飽和でＣ３−Ｃ６のカルボン酸モノマーまたはその無水物と、アクリル酸の脂肪鎖エステルモノマーとからなる、架橋していてもよいコポリマーを、該組成物に配合することを含む使用であり、該組成物が
、
を
と訂正する。
訂正事項ｂ：
　特許請求の範囲の減縮を目的として　特許請求の範囲の請求項２に係る記載
「【請求項２】　化粧品用組成物における、保持力を改善するために、モノオレフィン不飽和でＣ３−Ｃ６のカルボン酸モノマーまたはその無水物と、アクリル酸の脂肪鎖エステルモノマーとからなる、架橋していてもよいコポリマーを、該組成物に配合することを含む使用であり、該組成物が、
・架橋し、少なくとも９０％の中和したポリ（２−アクリルアミド−２−メチルプロパン−スルホン酸）ポリマー、および／または、
・架橋していてもよい、アクリル酸のホモポリマーまたはコポリマー、またはそれらの塩の一つを、さらに含有することを特徴とする使用。」
を、
「【請求項２】　化粧品用組成物における、保持力を改善するために、モノオレフィン不飽和でＣ３−Ｃ６のカルボン酸モノマーまたはその無水物と、アクリル酸の脂肪鎖エステルモノマーとからなる、架橋していてもよいコポリマーを、該組成物に配合することを含む使用であり、該組成物が
、
を
と訂正する。
訂正事項ｃ：
　特許請求の範囲の減縮を目的として　特許請求の範囲の請求項３に係る記載
「【請求項３】　化粧品用組成物における、移りおよび／または移入がなく、改善された保持力を有する、該組成物の皮膜を形成させるために、モノオレフィン不飽和でＣ３−Ｃ６のカルボン酸モノマーまたはその無水物と、アクリル酸の脂肪鎖エステルモノマーとからなる、架橋していてもよいコポリマーを、該組成物に配合することを含む使用であり、該組成物が、
・架橋し、少なくとも９０％の中和したポリ（２−アクリルアミド−２−メチルプロパン−スルホン酸）ポリマー、および／または、
・架橋していてもよい、アクリル酸のホモポリマーまたはコポリマー、またはそれらの塩の一つを、さらに含有することを特徴とする使用。」
を、
「【請求項３】　化粧品用組成物における、移りおよび／または移入がなく、改善された保持力を有する、該組成物の皮膜を形成させるために、モノオレフィン不飽和でＣ３−Ｃ６のカルボン酸モノマーまたはその無水物と、アクリル酸の脂肪鎖エステルモノマーとからなる、架橋していてもよいコポリマーを、該組成物に配合することを含む使用であり、該組成物が
、
を
と訂正する。
訂正事項ｄ：
　特許請求の範囲の減縮を目的として　特許請求の範囲の請求項４に係る記載
「【請求項４】　色移りのない化粧品用組成物の製造のために、モノオレフィン不飽和でＣ３−Ｃ６のカルボン酸モノマーまたはその無水物と、アクリル酸の脂肪鎖エステルモノマーとからなる、架橋していてもよいコポリマーを、該組成物に配合することを含む使用であり、該組成物が、
・架橋し、少なくとも９０％の中和したポリ（２−アクリルアミド−２−メチルプロパン−スルホン酸）ポリマー、および／または、
・架橋していてもよい、アクリル酸のホモポリマーまたはコポリマー、またはそれらの塩の一つを、さらに含有することを特徴とする使用。」
を、
「【請求項４】　色移りのない化粧品用組成物の製造のために、モノオレフィン不飽和でＣ３−Ｃ６のカルボン酸モノマーまたはその無水物と、アクリル酸の脂肪鎖エステルモノマーとからなる、架橋していてもよいコポリマーを、該組成物に配合することを含む使用であり、該組成物が
、
を
と訂正する。
訂正事項ｅ：
　特許請求の範囲の減縮を目的として　特許請求の範囲の請求項１１に係る記載
「【請求項１１】　モノオレフィン不飽和でＣ３−　Ｃ６のカルボン酸モノマーまたはその無水物と、アクリル酸の脂肪鎖エステルモノマーとからなる、架橋していてもよい少なくとも１つのコポリマーと、疎水表面を有する顔料とをまた含有し、水中油型エマルション、油中水型エマルション、複エマルション、または複相溶液の形態であることを特徴とする、化粧品用組成物。」
を、
「【請求項１１】　モノオレフイン不飽和でＣ３−　Ｃ６のカルボン酸モノマーまたはその無水物と、アクリル酸の脂肪鎖エステルモノマーとからなる、架橋していてもよい少なくとも１つのコポリマーと、
　疎水表面を有する顔料と
、
　
架橋し、少なくとも９０％の中和したポリ（２−アクリルアミド−２−メチルプロパン−スルホン酸）ポリマーを
と訂正する。
訂正事項ｆ：
　特許請求の範囲の減縮を及び誤記の訂正を目的として　特許請求の範囲の請求項１２に係る記載
「【請求項１２】　モノオレフィン不飽和でＣ３−　Ｃ６のカルボン酸モノマーまたはその無水物と、アクリル酸の脂肪鎖エステルモノマーとからなる、架橋していてもよい少なくとも１つのコポリマーと、水溶性の染料とをまた含有し、水性ゲル、水性、水性アルコールまたは複相の溶液の形態の形態であることを特徴とする、化粧品用組成物。」
を、
「【請求項１２】　モノオレフィン不飽和でＣ３−　Ｃ６のカルボン酸モノマーまたはその無水物と、アクリル酸の脂肪鎖エステルモノマーとからなる、架橋していてもよい少なくとも１つのコポリマーと、
　水溶性の染料と
、
　
架橋し、少なくとも９０％の中和したポリ（２−アクリルアミド−２−メチルプロパン−スルホン酸）ポリマーを
で
と訂正する。
訂正事項ｇ：
　特許請求の範囲の減縮を目的として　特許請求の範囲の請求項１５に係る記載を削除する。
訂正事項ｈ：
　明りょうでない記載の釈明を目的として、特許請求の範囲の請求項１６に係る記載
「【請求項１６】　ポリ（２−アクリルアミド−２−メチルプロパン−スルホン酸）ポリマーが、組成物の全重量に対して、０〜２０重量％の濃度で存在していることを特徴とする請求項１５に記載の組成物。」
を、
「【請求項
１５
１１ないし１４のいずれか１項
と訂正する。
訂正事項ｉ：
　明りょうでない記載の釈明を目的として、　特許請求の範囲の請求項１７に係る記載
「【請求項１７】　架橋していてもよいアクリル酸のホモポリマーまたはコポリマー、またはそれらの塩類の一つをさらに含有することを特徴とする請求項１１ないし１６のいずれか１項に記載の組成物。」
を、
「【請求項
１６
１５
と訂正する。
訂正事項ｊ：
　明りょうでない記載の釈明を目的として、　特許請求の範囲の請求項１８に係る記載
「【請求項１８】　ポリビニルアルコールをさらに含有することを特徴とする請求項１１ないし１７のいずれか１項に記載の組成物。」
を、
「【請求項
１７
１６
と訂正する。
訂正事項ｋ：
　明りょうでない記載の釈明を目的として、　特許請求の範囲の請求項１９に係る記載
「【請求項１９】　水中油型エマルション、油中水型エマルション、複エマルション、水性ゲル、または水性、水性アルコール、または水／パウダーおよび水／油／パウダー等の多相溶液の形態であることを特徴とする請求項１１ないし１８のいずれか１項に記載の組成物。」
を、
「【請求項
１８
１７
と訂正する。
訂正事項ｌ：
　明りょうでない記載の釈明を目的として、　特許請求の範囲の請求項２０に係る記載
「【請求項２０】　最大で１０重量％の非揮発性の炭化水素油を含有するか、または非揮発性の炭化水素油を全く含有しないことを特徴とする請求項１１ないし１９のいずれか１項に記載の組成物。」
を、
「【請求項
１９
１８
と訂正する。
訂正事項ｍ：
　明りょうでない記載の釈明を目的として、　特許請求の範囲の請求項２１に係る記載
「【請求項２１】　−フェニルシリコーン油、および／またはＰＤＭＳと混合されていてもよい、揮発性で環状の油、または、
−揮発性であってもよいシリコーン油と混合され、フェニル化および／またはヒドロキシル化されたシリコーンガム等のシリコーンガム類、
等のシリコーン脂肪物質のみを含有する脂肪相を有することを特徴とする請求項１１ないし２０のいずれか１項に記載の組成物。」
を、
「【請求項
２０
−揮発性であってもよいシリコーン油と混合され、フェニル化および／またはヒドロキシル化されたシリコーンガム等のシリコーンガム類、等のシリコーン脂肪物質のみを含有する脂肪相を有することを特徴とする請求項１１ないし
１９
と訂正する。
訂正事項ｎ：
　明りょうでない記載の釈明を目的として、　特許請求の範囲の請求項２２に係る記載
「【請求項２２】　顔料が、組成物の全重量に対して、０〜２０重量％の割合で存在することを特徴とする請求項１１および１４ないし２１のいずれか１項に記載の組成物。」
を、
「【請求項
２１
２０
と訂正する。
訂正事項ｏ：
　明りょうでない記載の釈明を目的として、　特許請求の範囲の請求項２３に係る記載
「【請求項２３】　顔料が、二酸化チタン、二酸化ジルコニウム、または二酸化セリウム、酸化亜鉛、酸化鉄、または酸化クロム、ナノチタニア、フェリックブルー、カーボンブラック、およびアントラキノン染料、アゾ染料、またはハロ酸性染料等の酸性染料のカルシウム、バリウム、アルミニウム、またはジルコニウム塩の顔料またはナノピグメントから選択されることを特徴とする請求項１１および１４ないし２１のいずれか１項に記載の組成物。」
を、
「【請求項
２２
２０
と訂正する。
訂正事項ｐ：
　明りょうでない記載の釈明を目的として、　特許請求の範囲の請求項２４に係る記載
「【請求項２４】　顔料が、ポリエチレン等のポリマー、および／またはＰＤＭＳ等のシリコーン化合物で被覆されていることを特徴とする請求項２３に記載の組成物。」
を、
「【請求項
２３
２２
と訂正する。
訂正事項ｑ：
　明りょうでない記載の釈明を目的として、　特許請求の範囲の請求項２５に係る記載
「【請求項２５】　水溶性の染料が、軽石の二ナトリウム塩、キノリン−イエロー、アリザリン−グリーンの二ナトリウム塩、アマランスの三ナトリウム塩、タートラジンの二ナトリウム塩、ローダミンの一ナトリウム塩、キサントフィル、およびフクシンの二ナトリウム塩から選択されるものであることを特徴とする請求項１２ないしの２４のいずれか１項に記載の組成物。」
を、
「【請求項
２４
２３
と訂正する。
訂正事項ｒ：
　明りょうでない記載の釈明を目的として、　特許請求の範囲の請求項２６に係る記載
「【請求項２６】　ファンデーション、ほほ紅、アイシャドウ、棒状口紅、マスカラ、アイライナー、またはネイルラッカー等の、皮膚、半粘膜、粘膜、および／または皮膚骨格をメークアップするための組成物；唇の手入れ用ベース；皮膚、半粘膜、粘膜、および／または皮膚骨格の手入れ用製品；抗日光または自己サンタン製品；ヘアケア用製品の形態であることを特徴とする請求項１１ないし２５のいずれか１項に記載の組成物。」
を、
「【請求項
２５
２４
と訂正する。
訂正事項ｓ：
　特許請求の範囲の減縮を目的として、特許請求の範囲の請求項２７に係る記載
「【請求項２７】　モノオレフィン不飽和でＣ３−　Ｃ６のカルボン酸モノマーまたはその無水物と、アクリル酸の脂肪鎖エステルモノマーとからなる、架橋していてもよい、少なくとも１つのコポリマーを含有する、色移りのないファンデーション。」
を、
「【請求項
２６
、及び、
　
架橋し、少なくとも９０％の中和したポリ（２−アクリルアミド−２−メチルプロパン−スルホン酸）ポリマー
を含有する、色移りのないファンデーション。」
と訂正する。
訂正事項ｔ：
　特許請求の範囲の減縮を目的として、特許請求の範囲の請求項２８に係る記載
「【請求項２８】　モノオレフィン不飽和でＣ３−　Ｃ６のカルボン酸モノマーまたはその無水物と、アクリル酸の脂肪鎖エステルモノマーとからなる、架橋していてもよい、少なくとも１つのコポリマーを、皮膚、粘膜、半粘膜、および／または皮膚骨格をメークアップまたは手入れするための化粧品用組成物に導入することを特徴とする、該組成物の移りを、制限、減少、および／または防止させる方法。」
を、
「【請求項
２７
、及び、
　
架橋し、少なくとも９０％の中和したポリ（２−アクリルアミド−２−メチルプロパン−スルホン酸）ポリマー
を、皮膚、粘膜、半粘膜、および／または皮膚骨格をメークアップまたは手入れするための化粧品用組成物に導入することを特徴とする、該組成物の移りを、制限、減少、および／または防止させる方法。」
と訂正する。
訂正事項ｕ：
　明りょうでない記載の釈明を目的として、　特許請求の範囲の請求項２９に係る記載
「【請求項２９】　請求項１１ないし２６のいずれか１項に記載の組成物、または請求項２７に記載のファンデーションを、皮膚、粘膜、半粘膜、および／または皮膚骨格に適用することからなる、皮膚、半粘膜、粘膜、および／または皮膚骨格のメークアップ方法。」
を、
「【請求項
２８
２５
２６
と訂正する。
（５４）【発明の名称】
特定のコポリマーを含有する組成物および該コポリマーの化粧品への使用
（５７）【特許請求の範囲】
　【請求項１】　化粧品用組成物における、移りおよび／または移入を制限、減少、および／または改善させるために、モノオレフィン不飽和でＣ３−Ｃ６のカルボン酸モノマーまたはその無水物と、アクリル酸の脂肪鎖エステルモノマーとからなる、架橋していてもよいコポリマーを、該組成物に配合することを含む使用であり、該組成物が、架橋し、少なくとも９０％の中和したポリ（２−アクリルアミド−２−メチルプロパン−スルホン酸）ポリマーをさらに含有することを特徴とする使用。
　【請求項２】　化粧品用組成物における、保持力を改善するために、モノオレフイン不飽和でＣ３−Ｃ６のカルボン酸モノマーまたはその無水物と、アクリル酸の脂肪鎖エステルモノマーとからなる、架橋していてもよいコポリマーを、該組成物に配合することを含む使用であり、該組成物が、架橋し、少なくとも９０％の中和したポリ（２−アクリルアミド−２−メチルプロパン−スルホン酸）ポリマーをさらに含有することを特徴とする使用。
　【請求項３】　化粧品用組成物における、移りおよび／または移入がなく、改善された保持力を有する、該組成物の皮膜を形成させるために、モノオレフィン不飽和でＣ３−Ｃ６のカルボン酸モノマーまたはその無水物と、アクリル酸の脂肪鎖エステルモノマーとからなる、架橋していてもよいコポリマーを、該組成物に配合することを含む使用であり、該組成物が、架橋し、少なくとも９０％の中和したポリ（２−アクリルアミド−２−メチルプロパン−スルホン酸）ポリマーをさらに含有することを特徴とする使用。
　【請求項４】　色移りのない化粧品用組成物の製造のために、モノオレフィン不飽和でＣ３−Ｃ６のカルボン酸モノマーまたはその無水物と、アクリル酸の脂肪鎖エステルモノマーとからなる、架橋していてもよいコポリマーを、該組成物に配合することを含む使用であり、該組成物が、架橋し、少なくとも９０％の中和したポリ（２−アクリルアミド−２−メチルプロパン−スルホン酸）ポリマーをさらに含有することを特徴とする使用。
　【請求項５】　前記コポリマーが、組成物の全重量に対して、０．０１〜３重量％の濃度で存在していることを特徴とする請求項１ないし４のいずれか１項に記載の使用。
　【請求項６】　組成物が、ポリビニルアルコールをさらに含有することを特徴とする請求項１ないし５のいずれか１項に記載の使用。
　【請求項７】　組成物が、水中油型エマルション、油中水型エマルション、複エマルション、水性ゲル、または水性、水性アルコール、または水／パウダーおよび水／油／パウダー等の多相溶液の形態であることを特徴とする請求項１ないし６のいずれか１項に記載の使用。
　【請求項８】　組成物が、最大で１０重量％の非揮発性の炭化水素油を含有するか、または非揮発性の炭化水素油を全く含有しないことを特徴とする請求項１ないし７のいずれか１項に記載の使用。
　【請求項９】　組成物が、
−フェニルシリコーン油、および／またはＰＤＭＳと混合されていてもよい、揮発性で環状の油、または、
−揮発性であってよいシリコーン油と混合され、フェニル化および／またはヒドロキシル化されたシリコーンガム等のシリコーンガム類、
等のシリコーン脂肪物質のみを含有する脂肪相を有することを特徴とする請求項７または８に記載の使用。
　【請求項１０】　組成物が、ファンデーション、ほほ紅、アイシャドウ、棒状口紅、マスカラ、アイライナー、またはネイルラッカー等の、皮膚、半粘膜、粘膜、および／または皮膚骨格をメークアップするための組成物；唇の手入れ用ベース；皮膚、半粘膜、粘膜、および／または皮膚骨格の手入れ用製品；衛生用または製薬用製品；抗日光または自己サンタン製品；ヘアケア用製品の形態であることを特徴とする請求項１ないし９のいずれか１項に記載の使用。
　【請求項１１】　モノオレフィン不飽和でＣ３−Ｃ６のカルボン酸モノマーまたはその無水物と、アクリル酸の脂肪鎖エステルモノマーとからなる、架橋していてもよい少なくとも１つのコポリマーと、
　疎水表面を有する顔料と、
　架橋し、少なくとも９０％の中和したポリ（２−アクリルアミド−２−メチルプロパン−スルホン酸）ポリマーを含有し、水中油型エマルション、油中水型エマルション、複エマルション、または複相溶液の形態であることを特徴とする、化粧品用組成物。
　【請求項１２】　モノオレフイン不飽和でＣ３−Ｃ６のカルボン酸モノマーまたはその無水物と、アクリル酸の脂肪鎖エステルモノマーとからなる、架橋していてもよい少なくとも１つのコポリマーと、
　水溶性の染料と、
　架橋し、少なくとも９０％の中和したポリ（２−アクリルアミド−２−メチルプロパン−スルホン酸）ポリマーを含有し、水性ゲル、水性、水性アルコールまたは複相の溶液の形態であることを特徴とする、化粧品用組成物。
　【請求項１３】　コポリマーのカルボン酸モノマーまたはその無水物の量が、８０〜９８重量％であり；アクリル酸エステルモノマーの量が、２〜２０重量％であることを特徴とする請求項１１または１２に記載の組成物。
　【請求項１４】　前記コポリマーが、組成物の全重量に対して、０．０１〜３重量％の濃度で存在していることを特徴とする請求項１１ないし１３のいずれか１項に記載の組成物。
　【請求項１５】　ポリ（２−アクリルアミド−２−メチルプロパン−スルホン酸）ポリマーが、組成物の全重量に対して、０〜２０重量％の濃度で存在していることを特徴とする請求項１１ないし１４のいずれか１項に記載の組成物。
　【請求項１６】　架橋していてもよいアクリル酸のホモポリマーまたはコポリマー、またはそれらの塩類の一つをさらに含有することを特徴とする請求項１１ないし１５のいずれか１項に記載の組成物。
　【請求項１７】　ポリビニルアルコールをさらに含有することを特徴とする請求項１１ないし１６のいずれか１項に記載の組成物。
　【請求項１８】　水中油型エマルション、油中水型エマルション、複エマルション、水性ゲル、または水性、水性アルコール、または水／パウダーおよび水／油／パウダー等の多相溶液の形態であることを特徴とする請求項１１ないし１７のいずれか１項に記載の組成物。
　【請求項１９】　最大で１０重量％の非揮発性の炭化水素油を含有するか、または非揮発性の炭化水素油を全く含有しないことを特徴とする請求項１１ないし１８のいずれか１項に記載の組成物。
　【請求項２０】　−フェニルシリコーン油、および／またはＰＤＭＳと混合されていてもよい、揮発性で環状の油、または、
−揮発性であってもよいシリコーン油と混合され、フェニル化および／またはヒドロキシル化されたシリコーンガム等のシリコーンガム類、
等のシリコーン脂肪物質のみを含有する脂肪相を有することを特徴とする請求項１１ないし１９のいずれか１項に記載の組成物。
　【請求項２１】　顔料が、組成物の全重量に対して、０〜２０重量％の割合で存在することを特徴とする請求項１１および１４ないし２０のいずれか１項に記載の組成物。
　【請求項２２】　顔料が、二酸化チタン、二酸化ジルコニウム、または二酸化セリウム、酸化亜鉛、酸化鉄、または酸化クロム、ナノチタニア、フェリックブルー、カーボンブラック、およびアントラキノン染料、アゾ染料、またはハロ酸性染料等の酸性染料のカルシウム、バリウム、アルミニウム、またはジルコニウム塩の顔料またはナノピグメントから選択されることを特徴とする請求項１１および１４ないし２０のいずれか１項に記載の組成物。
　【請求項２３】　顔料が、ポリエチレン等のポリマー、および／またはＰＤＭＳ等のシリコーン化合物で被覆されていることを特徴とする請求項２２に記載の組成物。
　【請求項２４】　水溶性の染料が、軽石の二ナトリウム塩、キノリン−イエロー、アリザリン−グリーンの二ナトリウム塩、アマランスの三ナトリウム塩、タートラジンの二ナトリウム塩、ローダミンの一ナトリウム塩、キサントフィル、およびフクシンの二ナトリウム塩から選択されるものであることを特徴とする請求項１２ないしの２３のいずれか１項に記載の組成物。
　【請求項２５】　ファンデーション、ほほ紅、アイシャドウ、棒状口紅、マスカラ、アイライナー、またはネイルラッカー等の、皮膚、半粘膜、粘膜、および／または皮膚骨格をメークアップするための組成物；唇の手入れ用ベース；皮膚、半粘膜、粘膜、および／または皮膚骨格の手入れ用製品；抗日光または自己サンタン製品；ヘアケア用製品の形態であることを特徴とする請求項１１ないし２４のいずれか１項に記載の組成物。
　【請求項２６】　モノオレフィン不飽和でＣ３−Ｃ６のカルボン酸モノマーまたはその無水物と、アクリル酸の脂肪鎖エステルモノマーとからなる、架橋していてもよい、少なくとも１つのコポリマー、及び、
　架橋し、少なくとも９０％の中和したポリ（２−アクリルアミド−２−メチルプロパン−スルホン酸）ポリマー
を含有する、色移りのないファンデーション。
　【請求項２７】　モノオレフィン不飽和でＣ３−Ｃ６のカルボン酸モノマーまたはその無水物と、アクリル酸の脂肪鎖エステルモノマーとからなる、架橋していてもよい、少なくとも１つのコポリマー、及び、
　架橋し、少なくとも９０％の中和したポリ（２−アクリルアミド−２−メチルプロパン−スルホン酸）ポリマー
を、皮膚、粘膜、半粘膜、および／または皮膚骨格をメークアップまたは手入れするための化粧品用組成物に導入することを特徴とする、該組成物の移りを、制限、減少、および／または防止させる方法。
　【請求項２８】　請求項１１ないし２５のいずれか１項に記載の組成物、または請求項２６に記載のファンデーションを、皮膚、粘膜、半粘膜、および／または皮膚骨格に適用することからなる、皮膚、半粘膜、粘膜、および／または皮膚骨格のメークアップ方法。
【発明の詳細な説明】
　【０００１】
　【発明の属する技術分野】
　本発明は、特に、エマルションの形態であり、ヒトの皮膚、半粘膜（唇）、粘膜（瞼の内側）、および／または皮膚骨格のメークアップおよび／または手入れに使用される組成物、特に化粧品用組成物に関する。
　【０００２】
　【従来の技術および発明が解決しようとする課題】
　化粧品用組成物、特にメークアップ用組成物、例えば、棒状口紅およびファンデーション組成物は、一般的に、脂肪物質、例えばロウ類および油類、並びに概してフィラーと顔料からなる粒子相を含有している。よって、それらは、例えば棒状口紅である場合、棒状またはチューブ状の形態、または柔らかなペースト状の形態とすることができる。また、メークアップ用組成物は、水または親水性相を有しており、特にファンデーション、ティントクリーム、手入れ用クリーム、または抗日光製品の場合には、特に、水中油型エマルション、油中水型エマルション、複エマルション、水性のゲルまたは溶液の形態にすることができる。
　【０００３】
　皮膚、粘膜、または半粘膜に適用される場合、これらの組成物は、移る、という欠点を有する。これは、前記組成物と接触したある種の支持体、例えば、ガラス、衣類、または皮膚に少なくとも部分的に付着する傾向にあることを意味する。
　【０００４】
　付着すると、前記組成物は、前記支持体に跡を残す。よって、その結果、皮膚または粘膜への、組成物の残存性が中程度となり、規則的に、繰り返し適用する必要が生じる。
　【０００５】
　さらに、ある種の衣類、特に、ブラウスの襟に、許容できない跡が付くと、女性の中には、この種のメークアップを使用しなくなる者が出てくる恐れもある。
　【０００６】
　ある組成物が、ファンデーションの場合には、皮膚上のコジワ（ｆｉｎｅ　ｌｉｎｅｓ）および／またはシワ（ｗｒｉｎｋｌｅｓ）に；棒状口紅の場合には、唇の周りのコジワに；アイシャドウの場合には、瞼のヒダ（ｆｏｌｄ）に移入（ｍｉｇｒａｔｉｏｎ）する傾向があることが観察されていることから、これらの組成物の他の欠点は、移入の問題にある。瞼の動きにより生じる、メークアップ中におけるシワもまた、特に、アイシャドウの場合に観察されている。
　【０００７】
　これらの現象全ては、一方では、組成物の保持力の低下（すなわち、移りまたは移入による、ある成分の離脱、および／または均質化の低下）、他方では、明らかに回避することが望まれている美的でない効果を生じせしめるものである。
　【０００８】
　多くの美容産業関連者は、数年の間、「色移りのない（ｔｒａｎｓｆｅｒ−ｆｒｅｅ）」化粧品用組成物、特に色移りのない棒状口紅およびファンデーションに興味を抱いている。例えば、１〜７０重量％の、アルキルまたはフェニルの懸垂状鎖を含有するシリカートの繰り返し単位を有する液体シリコーン樹脂、１０〜９８重量％の、環状の揮発性シリコーン油、および紛状のフィラーを含有する、「色移りのない」口紅用組成物が見られるようになった。
　【０００９】
　また、少なくとも１２の炭素原子を有する、懸垂状のエステル化した鎖を含有するシリコーン樹脂、および揮発性のシリコーンを含む、色移りのない口紅も提案されている。
　【００１０】
　一般的に、ある種のシリコーン化合物と揮発性油を組み合わせることにより、満足のいく色移りのない結果を得ることはできるが、適切な色移りのない品質を保持しながら、これらの組成物にシリコーン油以外の油を添加することができないため、揮発性物質が蒸発した後に、最適な快適さを有する皮膜にできないという欠点がある。これは、化粧品用組成物に、特に快適感を付与するものとして知られている炭化水素油が、かかる組成物の色移りの度合いを増加させるためである。
　【００１１】
　よって、ほとんど、または全く色移りがなく（すなわち、色移りのない組成物）、同時に良好な化粧品特性、特に、適用時にフレッシュ感およびつるつるした感じがあり、またメークアップをした後でも、柔軟性と快適さを有する組成物、特に化粧品用組成物が必要とされている。
　【００１２】
　【課題を解決するための手段および発明の実施の形態】
　本出願人は、驚くべきことに、また予期しないことに、以下に定義する特定のポリマーが化粧品用組成物中に存在することで、前記組成物の移りおよび／または移入が制限されるか、または全く除去されることが可能であり、よって、保持力の改善が可能であることを見いだした。よって、本発明の目的は、良好な保持力を有し、色移りがなく、接触しても支持体にシミを付けない皮膜を得ることができる組成物を提供することにある。
　【００１３】
　よって、本発明の主題は、化粧品用、皮膚病用、衛生用、および／または製薬用組成物における、全体的に、組成物の移りおよび／または移入を制限、減少、および／または改善させるための、多量フラクションとして、モノオレフィン不飽和でＣ３−Ｃ６のカルボン酸モノマーまたはその無水物と、少量フラクションとして、アクリル酸の脂肪鎖エステルモノマーとからなる、架橋していてもよいコポリマーの使用にある。
　【００１４】
　また、本発明の主題は、化粧品用、皮膚病用、衛生用、および／または製薬用組成物における、該組成物の保持力を改善するための、前記コポリマーの使用にある。
　【００１５】
　さらに本発明の主題は、このようなコポリマーを、組成物の移りおよび／または移入を制限、減少、および／または改善させるための薬剤、および／または組成物の保持力を改善させるための薬剤として、化粧品用、皮膚病用、衛生用、および／または製薬用組成物に使用することにある。
　【００１６】
　本発明の他の主題は、化粧品用、皮膚病用、衛生用、および／または製薬用組成物における、移り、および／または移入がなく、改善された保持力を有する、該組成物の皮膜を形成させるための、多量フラクションとして、モノオレフィン不飽和でＣ３−Ｃ６のカルボン酸モノマーまたはその無水物と、少量フラクションとして、アクリル酸の脂肪鎖エステルモノマーとからなる、架橋していてもよいコポリマーの使用にある。
　【００１７】
　本発明の他の主題は、色移りのない組成物における、多量フラクションとして、モノオレフィン不飽和でＣ３−Ｃ６のカルボン酸モノマーまたはその無水物と、少量フラクションとして、アクリル酸の脂肪鎖エステルモノマーとからなる、架橋していてもよいコポリマーの使用にある。
　色移りのない組成物とは、上述した意味を発展させて、ほとんど、または全く移りのない組成物であることを意味する。
　【００１８】
　本発明の他の主題は、多量フラクションとして、モノオレフィン不飽和でＣ３−Ｃ６のカルボン酸モノマーまたはその無水物と、少量フラクションとして、アクリル酸の脂肪鎖エステルモノマーとからなる、架橋していてもよい、少なくとも１つのコポリマーと、疎水表面を有する顔料とをまた含有し、水中油型エマルション、油中水型エマルション、複エマルション、または複相溶液の形態の、化粧品用、皮膚病用、衛生用、および／または製薬用組成物にある。
　【００１９】
　本発明の他の主題は、少なくとも１つの前記コポリマーと水溶性の染料とをまた含有し、水性ゲル、水性、水性アルコールまたは複相の溶液の形態の、化粧品用、皮膚病用、衛生用、および／または製薬用組成物にある。
　【００２０】
　本発明の他の主題は、多量フラクションとして、モノオレフィン不飽和でＣ３−Ｃ６のカルボン酸モノマーまたはその無水物と、少量フラクションとして、アクリル酸の脂肪鎖エステルモノマーとからなる、架橋していてもよい、少なくとも１つのコポリマーを含有する、色移りのないメークアップ用、または手入れ用の組成物にある。
　【００２１】
　本発明の他の主題は、多量フラクションとして、モノオレフィン不飽和でＣ３−Ｃ６のカルボン酸モノマーまたはその無水物と、少量フラクションとして、アクリル酸の脂肪鎖エステルモノマーとからなる、架橋していてもよい、少なくとも１つのコポリマーを含有する、色移りのないファンデーションにある。
　【００２２】
　本発明の他の主題は、少なくとも１つの前記コポリマーを、化粧品用、皮膚病用、衛生用、および／または製薬用組成物、特に、皮膚、粘膜、半粘膜、および／または皮膚骨格を手入れ、またはメークアップするための組成物に導入することかなる、該組成物の移りを、制限、減少、および／または防止させる方法にある。
　【００２３】
　本発明の最後の主題は、皮膚、半粘膜、粘膜、および／または皮膚骨格に、上述にて定義した組成物、またはファンデーションを適用することからなる、皮膚、粘膜、半粘膜、および／または皮膚骨格をメークアップする方法にある。
　【００２４】
　上述で定義したようなコポリマーを含有する剥離可能なマスクを形成するための組成物は、国際特許第９５／０３７７８号により知られている。しかしながら、国際特許第９５／０３７７８号において、このコポリマーは、皮膚へのマスクの付着力を改善するために使用されており、組成物の移りおよび／または移入を制限、減少、および／または防止するため、または保持力を改善するために使用されるものではない。
　【００２５】
　前記ポリマーを含有する組成物により、皮膜が経時的に良好な保持力を有し、かつ均質性が良好に持続されていることに反映される、皮膚および粘膜に対する良好な親和力を有する皮膜を得ることができることが知見された。
　【００２６】
　本発明の組成物は、皮膚への適用が容易で、とりわけ、比較的非粘着質なテクスチャーで、一日を通して快適な適用感が維持されるメークアップ用製品を得ることを可能にする。
　【００２７】
　さらに、それらの化粧品特性は、適用時にフレッシュ感があり、またその後も非常に柔軟であり、均質で快適なメークアップをすることができるといった利点を有する。
　【００２８】
　最後に、本発明の組成物は、特に、従来の洗浄剤で、容易に除去することができる。
　【００２９】
　本発明の組成物は、皮膚、粘膜、半粘膜、および皮膚骨格のメークアップおよび／または手入れの分野において、特に有利に適用されることが見いだされている。粘膜という表現は、特に、下の瞼の内側部分を称すると解されるものであり；半粘膜とは、特に、顔の唇を指すものと解されるものであり；皮膚骨格とは、まつげ、眉毛、髪、および爪を称すると解されるものである。よって、本発明は、特に、顔の唇および皮膚のメークアップおよび／または手入れ用の製品、例えばファンデーション、棒状口紅、自己サンタン剤、または抗日光製品の分野で、特に利用される。
　【００３０】
　よって、本発明の組成物は、多量フラクションとして、モノオレフィン不飽和でＣ３−Ｃ６のカルボン酸モノマーまたはその無水物と、少量フラクションとして、アクリル酸の脂肪鎖エステルモノマーとからなる少なくとも１つのコポリマーを含有するものである。このコポリマーは、架橋していてもよい。
　【００３１】
　本発明のコポリマーは、多量のモノオレフィン不飽和のカルボン酸モノマーまたはその無水物と、少量の脂肪鎖アクリル酸エステルモノマーとの重合により調製することができる。カルボン酸モノマーまたはその無水物の量は、好ましくは８０〜９８重量％、さらに好ましくは９０〜９８重量％であり；アクリル酸エステルは、好ましくは２〜２０重量％、さらに好ましくは２〜１０重量％の量で存在し；パーセンテージは、２つのモノマーの重量に対して算出している。
　【００３２】
　好ましいカルボン酸モノマーは、式：ＣＨ２＝ＣＲ−ＣＯＯＨ［Ｒは、水素、ハロゲン、ヒドロキシル、ラクトン基、ラクタム基、シアン（−ＣＮ）基、一価のアルキル基、アリール基、アルキルアリール基、アラルキル基、または環状脂肪族基（ｃｙｃｌｏａｌｉｐｈａｔｉｃ　ｇｒｏｕｐ）を示す］に相当するものから選択される。
　【００３３】
　特に好ましいカルボン酸モノマーは、アクリル酸、メタクリル酸、および無水マレイン酸、およびそれらの混合物から選択される。脂肪鎖アクリル酸エステルモノマーは、好ましくは、式：ＣＨ２＝ＣＲ１−ＣＯＯＲ２［Ｒ１は、水素、メチル、およびエチルからなるグループから選択され、Ｒ２は、Ｃ８−Ｃ３０のアルキル基、Ｃ８−Ｃ３０のオキシアルキレン基、またはＣ８−Ｃ３０のカルボニルオキシアルキレン基である］に相当するものから選択される。
　【００３４】
　特に好ましいエステルモノマーは、Ｒ１が水素またはメチルであり、および／またはＲ２がＣ１０−Ｃ２２のアルキル基であるものである。特に、デシル、ラウリル、ステアリル、ベヘニル、またはメリシル（ｍｅｌｉｓｓｙｌ）のアクリラートおよびメタクリラートを挙げることができる。
　【００３５】
　本発明のコポリマーのいくつかは、特に、欧州特許公開第０２６８１６４号に記載されており、該公報に記載されている調製方法で得られる。
　【００３６】
　特に、グッドリッチ（Ｇｏｏｄｒｉｃｈ）社から「ペムレン（Ｐｅｍｕｌｅｎ）」の名称で販売されているコポリマー、なかでも、ペムレン・ＴＲ２として販売されている製品である、アクリラート／Ｃ１０−Ｃ３０のアルキルアクリラートのコポリマーを挙げることができる。
　【００３７】
　上述したコポリマーのいくつかの混合物を使用できることは明らかである。
　【００３８】
　これらのコポリマーは、組成物の全重量に対して、０．０１〜３重量％、好ましくは０．０２〜０．６重量％、さらに好ましくは０．０５〜０．２重量％の濃度で、本発明の組成物中に存在することができる。
　【００３９】
　また、本発明の組成物は、架橋し、少なくとも９０％の中和したポリ（２−アクリルアミド−２−メチルプロパン−スルホン酸）ポリマーをさらに含有してもよく、これは、このようなポリマーにより、好ましい化粧品特性、例えば、液状ミルクの形態からクリームの形態までの範囲に及ぶ最終組成物の粘度の広域性、展伸の容易性、および柔軟性が得られることが見いだされているからである。
　【００４０】
　この、架橋し、かつ実質的に、または全体的に中和されたポリ（２−アクリルアミド−２−メチルプロパン−スルホン酸）ポリマーは、一般的に、水溶性であるか、水膨張性である。該ポリマーは：
ａ）次の一般式（１）：
　【化１】
［上式（１）中、Ｘ＋はカチオンまたはカチオン混合物を示し、カチオンＸ＋の１０ｍｏｌ％以下は、プロトンＨ＋であり得る］
で表されるユニットを９０〜９９．９重量％と、
ｂ）少なくとも２つのオレフィン二重結合を有する少なくとも１つのモノマーから誘導された、架橋したユニットを０．０１〜１０重量％、
とがランダムに分布していることに特徴付けられる。なお、ここで重量割合は、ポリマーの全重量に対するものである。
　【００４１】
　このポリマーは、好ましくは、９８〜９９．５重量％の式（１）のユニットと、０．２〜２重量％の架橋ユニットとを含有する。
　【００４２】
　カチオンＸ＋は、特に、プロトン、アルカリ金属のカチオン、アンモニウムイオン、またはアルカリ土類金属と当量のカチオンから選択されるカチオン、またはカチオン混合物を表す。好ましいカチオンＸ＋は、ＮＨ４＋カチオンである。さらに好ましくは、カチオンの９０〜１００ｍｏｌ％がＮＨ４＋カチオンであり、０〜１０ｍｏｌ％がプロトン（Ｈ＋）である。
　【００４３】
　少なくとも２つのオレフィン二重結合を有する架橋モノマーは、例えば、ジプロピレングリコール−ジアリルエーテル、ポリグリコール−ジアリルエーテル、トリエチレングリコール−ジビニルエーテル、ヒドロキノン−ジアリルエーテル、テトラリル−オキエタノイル（ｔｅｔｒａｌｌｙｌ　ｏｘｅｔｈａｎｏｙｌ）、または他のアリル、またはビニル多官能アルコールエーテル、テトラエチレングリコール−ジアクリラート、トリアリルアミン、トリメチロールプロパン−ジアリルエーテル、メチレンビスアクリルアミドまたはジビニルベンジンから選択される。
　【００４４】
　少なくとも２つのオレフィン二重結合を有する架橋モノマーは、特に、次の一般式（２）：
　【化２】
　［上式（２）中、Ｒ１は、水素原子またはＣ１−Ｃ４のアルキル基、特に、メチル　基を示す（トリメチロールプロパン−トリアクリラート）］
に相当するものから選択される。
　【００４５】
　特に好ましいポリマーは、２重量％の水溶液として、ブルックフィールド（Ｂｒｏｏｋｆｉｅｌｄ）粘度計を用い、ローター４、回転速度１００回転／分、２５℃で測定した粘度が、１０００ｃｐｓ（１０００ｍＰａ．ｓ）以上、より好ましくは５０００ｃｐｓ〜４０，０００ｃｐｓ（５０００〜４０，０００ｍＰａ．ｓ）、さらに好ましくは６５００ｃｐｓ〜３５，０００ｃｐｓの範囲内にあるものである。
　【００４６】
　架橋し、実質的にまたは全体的に中和されたポリ（２−アクリルアミド−２−メチルプロパン−スルホン酸）は、組成物の全重量に対して、０〜２０重量％、好ましくは０．１〜５重量％、さらに好ましくは０．４〜２重量％の濃度で、本発明の組成物中に存在する。
　【００４７】
　また、本発明の組成物は、化粧品的、衛生的、製薬的、または皮膚科学的に許容可能な媒体、すなわち、任意のケラチン物資、例えば、皮膚、爪、髪、まつげ、および眉毛、粘膜、および半粘膜、および任意のボディまたは顔の皮膚の領域と融和性のある媒体を、さらに含有する。
　【００４８】
　前記組成物は、化粧品的および／または皮膚科学的に許容可能な水性媒体を含有する。好ましい実施態様において、本発明の組成物は、水中油型エマルションの形態である。しかしながら、さらに、油中水型エマルション、複エマルション、水性ゲル、または水性、水性アルコール、または多相溶液、特に水／パウダー、および水／油／パウダーの形態であってもよい。
　【００４９】
　本発明の組成物の水相は、水、花の水（ｆｌｏｗｅｒ　ｗａｔｅｒ）、例えばヤグルマソウ水（ｃｏｒｎｆｌｏｗｅｒ　ｗａｔｅｒ）、および／または鉱水、例えばビッテル（Ｖｉｔｔｅｌ）、リュカ（Ｌｕｃａｓ）またはラ・ロシェ・ポゼー（Ｌａ　Ｒｏｃｈｅ　Ｐｏｓａｙ）の水、または湧水を含むものであってよい。前記水相は、組成物が水中油型エマルションの形態である場合は、組成物の全重量に対して、１５〜９９．９重量％、好ましくは４０〜９０重量％、組成物がゲルまたは水溶液の場合は、好ましくは８５〜９５重量％の含有量で存在し得る。
　【００５０】
　さらに、水相は、水相の全重量に対して、０重量％〜１４重量％の、Ｃ２−Ｃ６の低級モノアルコール、および／またはポリオール、例えばグリセロール、ブチレングリコール、イソプレングリコール、プロピレングリコール、またはポリエチレングリコールを含有してもよい。
　【００５１】
　本発明の組成物は、特に２５℃で液状の脂肪物質、例えば動物、植物、鉱物、または合成由来の油を含有する脂肪相を有するものであってもよい。
　【００５２】
　本発明の組成物がエマルションの形態である場合、水相および任意の添加剤と混合することで、安定なエマルション、すなわち分離がなく、何らの油の放出、またはクリーム化現象が生じることなく、２５℃で貯蔵後、少なくとも２４時間は単相の形態を維持しているエマルションを得ることができるならば、前記脂肪相は、化粧品的に許容可能な油を含有していてもよい。
　【００５３】
　使用可能な油は、室温（２０−２５℃）で揮発するものであってもよい。揮発性油という用語は、皮膚と接触して蒸発する傾向にある任意の化合物を称するものである。好ましくは、その引火点が、これらの油を処方に用いることを可能にするように十分高く、所望の消失効果が得られるのに十分低い油が使用される。引火点が、約４０〜１００℃の油が、好ましく使用される。これらの揮発性化合物は、特に、環状または直鎖状のシリコーン油、および／または炭化水素油の単独物または混合物から選択され得る。よって、揮発性シリコーン油としては、例えば次のものを挙げることができる：
−３〜８、好ましくは４〜６のケイ素原子を有する環状の揮発性シリコーン。これらは、例えば、シクロテトラジメチルシロキサン、シクロペンタジメチルシロキサン、またはシクロヘキサジメチルシロキサンである。
−ジメチルシロキサン／メチルアルキルシロキサン型のシクロコポリマー、例えば、ユニオン・カーバイド（Ｕｎｉｏｎ　Ｃａｒｂｉｄｅ）社から「シリコーン・ＦＺ・３１０９」の名称で販売されている、ジメチルシロキサン／メチルオクチルシロキサンのシクロコポリマー。
−２〜９のケイ素原子を有する直鎖状の揮発性シリコーン。これらは、例えば、低粘度（１ｃＳｔ）のＰＤＭＳ、またはヘキサメチルジシロキサンである。また、アルキルトリシロキサン、例えばヘキシルヘプタメチルトリシロキサン、またはオクチルヘプタメチルトリシロキサンを挙げることもできる。
　【００５４】
　さらに、揮発性炭化水素油、例えばイソパラフィン、特にイソドデカンを挙げることもできる。
　【００５５】
　非揮発性油としては：
−ポリ（Ｃ１−Ｃ２０）アルキルシロキサン、特にトリメチルシリル末端基を含有するもの、好ましくは、粘度が０．０６ｍ２／ｓ未満のもので、直鎖状のポリジメチルシロキサン、およびアルキルメチルポリシロキサン、例えばセチルジメチコーン（ＣＴＦＡ名）を挙げることができ、
−任意に、フッ化脂肪族および／または芳香族基で、または官能基、例えばヒドロキシル、チオール、および／またはアミン基で変性されたシリコーン、
−フェニル化シリコーン油、特に、次の式：
　【化３】
［上式（Ｉ）中、Ｒは、Ｃ１−Ｃ３０のアルキル基、アリール基、またはアラルキル基であり、合計が１〜１００であるという条件下で、ｍは、０〜１００の整数であり、ｎは、０〜１００の整数である］
で表されるもの、
−動物、植物、または鉱物由来の油、例えば、流動パラフィン、流動ワセリン、ペルヒドロスクワレン、アプリコット油、小麦胚芽油、スイートアルモンド油、ビューティ・リーフ油（ｂｅａｕｔｙ−ｌｅａｆ　ｏｉｌ）、ゴマ油、マカダミア油（ｍａｃａｄａｍｉａ　ｏｉｌ）、グレープシード油（ｇｒａｐｅｓｅｅｄ　ｏｉｌ）、菜種油、ヤシ油、グランドナッツ油（ｇｒｏｕｎｄｎｕｔ　ｏｉｌ）、パーム油、ヒマシ油、アボカド油、ホホバ油、オリブ油、または穀物胚芽油；ポリオールの脂肪酸エステル、特に流動トリグリセリド；アルコール類；アセチルグリセリド類；多価アルコール類、またはアルコール類のリシノレアート類、デカノアート類、またはオクタノアート類；脂肪酸トリグリセリド、フッ化油、および過フッ化油（ｐｅｒｆｌｕｏｒｏ　ｏｉｌ）；
−それらの混合物、
を挙げることができる。
　【００５６】
　本発明の特定の実施態様の一つにおいて、シリコーン脂肪物質、例えば、
−フェニルシリコーン油、および／またはＰＤＭＳと混合されていてもよい、揮発性で環状の油、または、
−シリコーンガム類、揮発性であってもよいシリコーン油と混合されたシリコーンガム、特に、フェニル化および／またはヒドロキシル化されたシリコーンガム、のみを含有するエマルションを調製してもよい。
　【００５７】
　好ましくは、組成物は、最大で、約１０重量％の非揮発性の炭化水素油を含有し；特に、組成物は、８重量％未満、好ましくは５重量％未満の非揮発性の炭化水素油を含有するか、または非揮発性の炭化水素油は全く含有しない。
　【００５８】
　組成物が水中油型エマルションの形態である場合、エマルションの脂肪相は、エマルションの全重量に対して、２重量％〜４０重量％、好ましくは３重量％〜３０重量％、特に３重量％〜２０重量％の含有量で存在し得る。
　【００５９】
　また、本発明の組成物は、最終組成物に、所望の特性、例えば、コンシステンシー、テクスチャー、および／または移りを所望の程度とするために、一般的知識に基づき当業者により選択される他の脂肪物質を含有してもよい。これらの付加的な脂肪物質は、動物、植物、鉱物、または合成由来のペースト状の脂肪物質、ガム、および／またはロウ、並びにそれらの混合物である。
　【００６０】
　特に、
−シリコーンガム
−動物、植物、鉱物、または合成由来のロウ、例えば、マイクロクリスタリンワックス、パラフィン、ペトロラタム（ｐｅｔｒｏｌａｔｕｍ）、ワセリン（ｐｅｔｒｏｌｅｕｍ　ｊｅｌｌｙ）、オゾケライト、およびモンタンロウ；ミツロウ、ラノリンおよびその誘導体；キャンデリラロウ、オーリクリーワックス（ｏｕｒｉｃｕｒｒｙ　ｗａｘ）、カルナウバロウ、モクロウ、ココアバター、コルク繊維のロウ、またはサトウキビロウ；２５℃で固体状の硬化油（ｈｙｄｒｏｇｅｎａｔｅｄ　ｏｉｌ）、２５℃で固体状のグリセリド、および脂肪エステル類、オゾケライト；ポリエチレンロウ、およびフィッシャー−トロプシュ合成法により得られるロウ；２５℃で固体状の硬化油；ラノリン；２５℃で固体状の脂肪エステル；シリコーンロウ；フッ化ロウ（ｆｌｕｏｒｏ　ｗａｘｅｓ）；それらの混合物、を挙げることができる。
　【００６１】
　また、本発明の組成物は、−または複数の化粧品的に許容可能な（耐性、毒学的、および感覚的に許容可能であること）有機溶媒を含有してもよい。これらの有機溶媒は、組成物の全重量に対して、０％〜９８％とすることができる。それらは、親水性の有機溶媒、親油性の有機溶媒、両親媒性の有機溶媒、またはそれらの混合物からなるグループから選択される。
　【００６２】
　親水性の有機溶媒としては、例えば、１〜８の炭素原子を有する、直鎖状または分枝状の低級モノアルコール、例えばエタノール、プロパノール、ブタノール、イソプロパノール、またはイソブタノール；６〜８０のエチレンオキシドを有するポリエチレングリコール；ポリオール、例えばプロピレングリコール、イソプレングリコール、ブチレングリコール、グリセロール、またはソルビトール；１〜５の炭素原子を有するアルキル基を含有する、モノ−またはジアルキルイソソルバイド；グリコールエーテル類、例えばジエチレングリコールモノメチルまたはモノエチルエーテル、およびプロピレングリコールエーテル、例えばジプロピレングリコールメチルエーテルを挙げることができる。両親媒性の有機溶媒としては、ポリオール、例えばポリプロピレングリコール（ＰＰＧ）誘導体、例えばポリプロピレングリコールの脂肪酸エステル、およびＰＰＧの脂肪アルコールエーテル類、例えばＰＰＧ−２３−オレイルエーテル、およびＰＰＧ−３６−オレアートを挙げることができる。親油性の有機溶媒としては、例えば、脂肪エステル類、例えばアジピン酸ジイソプロピル、アジピン酸ジオクチル、および安息香酸アルキルを挙げることができる。
　【００６３】
　本発明の組成物がエマルションの形態である場合、安定で微細なエマルションを得るために、必須ではないが、任意に、界面活性剤をさらに含有してもよい。しかしながら、界面活性剤は、得られたエマルションを精製し得る。Ｏ／Ｗ型の界面活性剤としては、特に、セテアリールグルコシド（ｃｅｔｅａｒｙｌｇｌｕｃｏｓｉｄｅ）、ＰＥＧ−４０−ステアラート、トリステアリン酸ソルビタン、ステアリン酸ソルビタン、ポリソルベイト・６０、ステアリン酸ソルビタン／スクロース−ココアート（ｃｏｃｏａｔｅ）の混合物、ステアリン酸グリセリル／ＰＥＧ−１００−ステアラートの混合物、ＰＥＧ−４００、ステアリン酸グリセリル、ＰＥＧ−６／ＰＥＧ−３２／ステアリン酸グリコールの混合物を挙げることができる（ＣＴＦＡ）。Ｗ／Ｏ型の界面活性剤としては、特に、ポリグリセリル−４−イソステアラート／セチルジメチコーン−コポリオール／ラウリン酸ヘキシルの混合物、および鉱物性油／ワセリン／オゾケライト／オレイン酸グリセリル／ラノリンアルコールの混合物を挙げることができる。
　【００６４】
　また、オキシエチレン化されたモノステアリン酸ソルビタン、脂肪アルコール、例えばステアリルアルコール、またはセチルアルコール、またはポリオールの脂肪酸エステル類、例えばステアリン酸グリセリル、またはポリグリセリル−１０−デカオレアートから選択される、少なくとも１つの共乳化剤（ｃｏ−ｅｍｕｌｓｉｆｉｅｒ）を、エマルションの全重量に対して、０〜５重量％含有してもよい。
　【００６５】
　さらに、本発明のエマルションは、好ましくは、エマルションの全重量に対して０〜６重量％の濃度で、一または複数の増粘剤を含有してもよい。増粘剤は：
−多糖類のバイオポリマー、例えばキサンタンガム、キャロブガム（ｃａｒｏｂ　ｇｕｍ）、グアガム、アルギナート、および変性したセルロース、例えばヒドロキシエチルセルロース、メチルセルロース、ヒドロキシプロピルセルロース、およびカルボキシメチルセルロース、
−合成ポリマー、例えばポリアクリル酸、例えばヒスパノ・キィミカ（Ｈｉｓｐａｎｏ　Ｑｕｉｍｉｃａ）社またはガーデイアン（Ｇｕａｒｄｉａｎ）社のヒスパゲル（Ｈｉｓｐａｇｅｌ）またはルブラゲル（Ｌｕｂｒａｇｅｌ）のような、ポリグリセリル（メタ）アクリラートポリマー、ポリビニルピロリドン、ポリビニルアルコール、アクリルアミドとアクリル酸アンモニウムとの架橋ポリマー、例えばヘキスト（Ｈｏｅｃｈｓｔ）社のボゼポール（Ｂｏｚｅｐｏｌ）・ＣまたはＰＡＳ・５１６１；アクリラート／オクチルアクリルアミドのコポリマー、例えばナショナル・スターチ（Ｎａｔｉｏｎａｌ　Ｓｔａｒｃｈ）社のダーマクリル（Ｄｅｒｍａｃｒｙｌ）；ポリアクリルアミドをベースとしたポリマー、例えばセピック（Ｓｅｐｐｉｃ）社のセピゲル（Ｓｅｐｉｇｅｌ）・３０５、アクリルアミドとメタアクリロイルオキシエチル−トリメチルアンモニウムクロリドとの架橋ポリマー、例えばアライド・コロイヅ（Ａｌｌｉｅｄ　Ｃｏｌｌｏｉｄｓ）社のサルケア（Ｓａｌｃａｒｅ）・ＳＣ・９２、
−ケイ酸アルミニウムマグネシウム、
−無機増粘剤、例えばスメクタイト、および変性したまたは変性していないヘクトライト（ｈｅｃｔｏｒｉｔｅｓ）［例えば、ベントーン（Ｂｅｎｔｏｎｅ）またはラポナイト（Ｌａｐｏｎｉｔｅ）］、
−それらの混合物、
から選択することができる。
　【００６６】
　好ましい方法においては、上述した、架橋した少なくとも９０％の中和したポリ（２−アクリルアミド−２−メチルプロパン−スルホン酸）ポリマーが、ゲル化剤として使用される。
　【００６７】
　他の好ましい実施態様においては、架橋していてもよい、アクリル酸のホモポリマーまたはコポリマー、またはそれらの塩の一つ、例えばグッドリッチ社から「カルボポール（Ｃａｒｂｏｐｏｌ）」の名称で市販されているものが、増粘ポリマーとして使用される。このような増粘ポリマーにより、特に効果的に、物理的および化粧品的に好ましい製品、特に、液状ミルクからクリームまでの範囲の粘度を有する、滑らかで満足のいく適用感のある製品を得ることができる。
　【００６８】
　また、本発明の組成物は、化粧品用組成物に通常使用される、顔料、および／または真珠光沢（パールエッセンス）剤、および／またはフィラーを含有する、粒状相を有していてもよい。顔料という用語は、媒体に不溶で、白色または有色、無機または有機の粒子を称すると解されるものであり、これらにより、組成物は、着色されるか、不透明になる。フィラーとは、組成物を「塊（ｂｏｄｙ）」にする、すなわち堅さを付与し、メークアップを均質にし、マット効果を付与し、柔軟にさせることを意図した、無色または白色で、無機物または合成物であり、ラメラ状または非ラメラ状の粒子を称すると解されるものである。真珠光沢剤は、光を反射させる真珠光沢色の粒子を称すると解されるものである。
　【００６９】
　顔料は、組成物の全重量に対して、０〜２０重量％、好ましくは２〜１５重量％の割合で存在する。それらは、通常またはナノメートルサイズで、白色または有色の、無機物および／または有機物であってよい。無機顔料またはナノピグメント（ｎａｎｏｐｉｇｍｅｎｔｓ）としては、二酸化チタン、二酸化ジルコニウム、または二酸化セリウム、並びに酸化亜鉛、酸化鉄、または酸化クロム、ナノチタニア（ｎａｎｏｔｉｔａｎｉａ）、およびフェリックブルー（ｆｅｒｒｉｃ　ｂｌｕｅ）を挙げることができる。有機顔料としては、カーボンブラック、およびメークアップ効果を皮膚および唇に付与するために通常使用されるレーキで、酸性染料、例えばハロ酸性、アゾ、またはアントラキノン染料のカルシウム、バリウム、アルミニウム、またはジルコニウム塩を挙げることができる。
　【００７０】
　本発明が、水中油型エマルションの形態である場合、顔料は、好ましくは、疎水性の表面領域を有するものか、またはそれらの表面を疎水性にさせるための処理が施されたものである；この処理は、当業者に公知の方法で行うことができる。顔料は、特に、シリコーン化合物、例えばＰＤＭＳ、および／またはポリマー、特にポリエチレンで被覆されたものであってもよい。また、顔料が被覆されていない場合は、得られた製品が滑らかでなく、脆いことが観察されており、よって、例えば、マプレコス（Ｍａｐｒｅｃｏｓ）社の「ピグメント・ＳＡ」、またはミヨシ（Ｍｉｙｏｓｈｉ）社の「ピグメント・ＰＩ」を挙げることができる。
　【００７１】
　組成物が水性ゲルまたは溶液の形態である場合、考慮される分野の通常の染料、例えば、軽石の二ナトリウム塩、キノリン−イエロー、アリザリン−グリーンの二ナトリウム塩、アマランスの三ナトリウム塩、タートラジンの二ナトリウム塩、ローダミンの一ナトリウム塩、キサントフィル、フクシンの二ナトリウム塩から選択される水溶性の染料を含有してもよい。
　【００７２】
　真珠光沢剤は、０〜２０重量％の割合で、好ましくは約２〜１５重量％の高レベルで、組成物中に存在し得る。考慮されうる真珠光沢剤としては、オキシ塩化ビスマス、天然顔料、酸化鉄、酸化チタンで被覆されたマイカ、天然の真珠母、並びに有色の雲母チタンを挙げることができる。
　【００７３】
　フィラーは、組成物の全重量に対して、０〜２０重量％、好ましくは２〜１０重量％の割合で存在し、無機物、または合成物、ラメラ状または非ラメラ状のものであってよい。タルク、マイカ、シリカ、カオリン、ナイロンパウダー、ポリエチレンパウダー、テフロン、デンプン、窒化ホウ素、ミクロスフェア、例えばエクスパンセル（Ｅｘｐａｎｃｅｌ）（ノーベルインダストリー社：Ｎｏｂｅｌ　Ｉｎｄｕｓｔｒｉｅ）、ポリトラップ（ｐｏｌｙｔｒａｐ）（ダウコーニング社：Ｄｏｗ　Ｃｏｒｎｉｎｇ）、およびシリコーン樹脂のマイクロピース（ｍｉｃｒｏｂｅａｄｓ）［例えば、トーシバ（Ｔｏｓｈｉｂａ）のトスパール（Ｔｏｓｐｅａｒｌｓ）］を挙げることができる。
　【００７４】
　また、組成物は、化粧品の分野で通常使用される任意の添加剤、例えば、酸化防止剤、香料、精油、防腐剤、化粧品用または製薬用で、親水性または親油性の活性剤、湿潤剤、ビタミン類、必須脂肪酸、スフィンゴ脂質、自己サンタン化合物、例えばＤＨＡ、サンスクリーン剤を含有してもよい。当業者であれば、本発明の組成物の有利な特性が、考慮される添加によって、実質的に、または全く悪影響を受けないように留意して、これらの任意の添加化合物（類）、および／またはそれらの量を選択することは明らかである。
　【００７５】
　これらの添加剤は、０〜１０重量％の割合で、組成物中に存在し得る。それらの性質により、組成物の脂肪相、または水相に存在する。
　【００７６】
　本発明の組成物は、局所適用に適した任意の形態、特に、漿液、ローション、クリーム、ミルク、水性ゲル、水相に脂肪相を分散させる（Ｏ／Ｗ）またはその逆（Ｗ／Ｏ）によって得られた、液体、半液体のコンシステンシー、またはペースト状、または固体状のエマルションとすることができる。
　【００７７】
　よって、本発明のエマルションは、化粧品用、製薬用、または衛生用の組成物の全体、または一部を構成する。
　【００７８】
　本発明の組成物は、特に、皮膚、半粘膜、粘膜、および／または皮膚骨格のメークアップの分野に応用されることが見いだされており、この場合、例えば、ファンデーション、ほほ紅、アイシャドウ、棒状口紅、マスカラ、アイライナー、またはネイルラッカーの形態とされる。
　【００７９】
　また、それらは、唇の手入れ用ベースとして、または皮膚、半粘膜、粘膜、および／または皮膚骨格の手入れ用製品、例えばゲル、クリーム、バルム、またはローションとして、または衛生用、または製薬用製品として、または抗日光または自己サンタン製品として使用することもできる。
　【００８０】
　さらにそれらは、ヘアケアの分野において、特に、髪、まつげ、および眉毛等の皮膚骨格の手入れ用のクリームまたはゲルとして、またはスタイリング用の水性ゲルとして応用されることが見いだされている。
　【００８１】
　【実施例】
　本発明を、次の実施例により、さらに詳細に例証する。
　【００８２】
実施例１〜１５
種々のエマルションの持続性の研究
　本発明の種々のエマルション（ファンデーション）を調製した。各々のエマルションは異なる組成を有する。
　【００８３】
　エマルションは、次の化合物：
・脂肪相
・本発明のコポリマー（グッドリッチ社のペムレン・ＴＲ２）
と、任意に：
・２％水溶液において、２５℃で１６，０００ｃｐｓの粘度を有し、アンモニア水で中和された、架橋したポリ（２−アクリルアミド−２−メチルプロパン−スルホン酸）、
・任意に架橋したアクリル酸コポリマー（グッドリッチ社のカルボポール・９８０）
・ポリビニルアルコール
・界面活性剤（モノオレイン酸ソルビタン・２０ＥＯ；デカオレイン酸ポリグリセリル）
・フィラー
・ＰＤＭＳまたはポリエチレンで被覆された顔料
・水溶性の染料
・水（全体を１００ｇにする量）
を含有する。
　【００８４】
　以下の、通常の方法により、組成物を調製した。脂肪相の成分と予め分散させておいた顔料とを混合し、８０℃で水とコポリマーとを混合して水相を調製した。２相を、室温で、ターボミキサーを使用し、攪拌して混合し、混合物を放置して冷却した。
　【００８５】
実施例１
・ＰＤＭＳにおいてヒドロキシル化されたシリ
　コーンガム
（ダウコーニング社のＱ２−１４０３）　　　　　　　　　　１６ｇ
・グッドリッチ社のペムレン・ＴＲ２　　　　　　　　　　　　０．１ｇ
・ポリ（２−アクリルアミド−２−メチル
　プロパンスルホン酸）　　　　　　　　　　　　　　　　　　０．６ｇ
・ＰＤＭＳで被覆された顔料　　　　　　　　　　　　　　　１０ｇ
・水　　　　　　　　　　　　　　　　　　　　　　全体を１００ｇにする量
　【００８６】
実施例２
・ＰＤＭＳにおいてヒドロキシル化されたシリ
　コーンガム
（ダウコーニング社のＱ２−１４０３）　　　　　　　　　　１６ｇ
・グッドリッチ社のペムレン・ＴＲ２　　　　　　　　　　　　０．１ｇ
・ポリ（２−アクリルアミド−２−メチル
　プロパンスルホン酸）　　　　　　　　　　　　　　　　　　０．６ｇ
・ポリビニルアルコール　　　　　　　　　　　　　　　　　　０．５ｇ
・ＰＤＭＳで被覆された顔料　　　　　　　　　　　　　　　１０ｇ
・水　　　　　　　　　　　　　　　　　　　　　　全体を１００ｇにする量
　【００８７】
実施例３
・ＰＤＭＳにおいてヒドロキシル化されたシリ
　コーンガム
（ダウコーニング社のＱ２−１４０３）　　　　　　　　　　１６ｇ
・グッドリッチ社のペムレン・ＴＲ２　　　　　　　　　　　　０．１ｇ
・ポリ（２−アクリルアミド−２−メチル
　プロパンスルホン酸）　　　　　　　　　　　　　　　　　　０．６ｇ
・ポリビニルアルコール　　　　　　　　　　　　　　　　　　０．５ｇ
・界面活性剤　　　　　　　　　　　　　　　　　　　　　　　１．１ｇ
・ＰＤＭＳで被覆された顔料　　　　　　　　　　　　　　　１２ｇ
・水　　　　　　　　　　　　　　　　　　　　　　全体を１００ｇにする量
　【００８８】
実施例４
・ＰＤＭＳにおいてヒドロキシル化されたシリ
　コーンガム
（ダウコーニング社のＱ２−１４０３）　　　　　　　　　　１１ｇ
・シクロペンタジメチルシロキサン（揮発
　性のシクロＤ５・シリコーン）　　　　　　　　　　　　　　５ｇ
・グッドリッチ社のペムレン・ＴＲ２　　　　　　　　　　　　０．１ｇ
・ポリ（２−アクリルアミド−２−メチル
　プロパンスルホン酸）　　　　　　　　　　　　　　　　　　０．６ｇ
・ポリビニルアルコール　　　　　　　　　　　　　　　　　　０．５ｇ
・界面活性剤　　　　　　　　　　　　　　　　　　　　　　　１．１ｇ
・ＰＤＭＳで被覆された顔料　　　　　　　　　　　　　　　１２ｇ
・水　　　　　　　　　　　　　　　　　　　　　　全体を１００ｇにする量
　【００８９】
実施例５
・ＰＤＭＳにおいてヒドロキシル化されたシリ
　コーンガム
（ダウコーニング社のＱ２−１４０３）　　　　　　　　　　　８ｇ
・アプリコット油　　　　　　　　　　　　　　　　　　　　　８ｇ
・グッドリッチ社のペムレン・ＴＲ２　　　　　　　　　　　　０．１ｇ
・グッドリッチ社のカルボポール・９８０　　　　　　　　　　０．６ｇ
・界面活性剤　　　　　　　　　　　　　　　　　　　　　　　０．１ｇ
・ＰＤＭＳで被覆された顔料　　　　　　　　　　　　　　　１２ｇ
・水　　　　　　　　　　　　　　　　　　　　　　全体を１００ｇにする量
　【００９０】
実施例６
・ＰＤＭＳにおいてヒドロキシル化されたシリ
　コーンガム
（ダウコーニング社のＱ２−１４０３）　　　　　　　　　　１３ｇ
・シクロペンタジメチルシロキサン　　　　　　　　　　　　３ｇ
・グッドリッチ社のペムレン・ＴＲ２　　　　　　　　　　　　０．１ｇ
・ポリ（２−アクリルアミド−２−メチル
　プロパンスルホン酸）　　　　　　　　　　　　　　　　　　０．５ｇ
・ポリビニルアルコール　　　　　　　　　　　　　　　　　　０．５ｇ
・界面活性剤　　　　　　　　　　　　　　　　　　　　　　　１．１ｇ
・ＰＤＭＳで被覆された顔料　　　　　　　　　　　　　　　１４ｇ
・中空のミクロスフェア（エクスパンセル
　・５５１・ＤＥ２０）　　　　　　　　　　　　　　　　　　０．５ｇ
・水　　　　　　　　　　　　　　　　　　　　　　全体を１００ｇにする量
　【００９１】
実施例７
・ＰＤＭＳにおいてヒドロキシル化されたシリ
　コーンガム
（ダウコーニング社のＱ２−１４０３）　　　　　　　　　　１３ｇ
・シクロペンタジメチルシロキサン　　　　　　　　　　　　　３ｇ
・グッドリッチ社のペムレン・ＴＲ２　　　　　　　　　　　　０．１ｇ
・ポリ（２−アクリルアミド−２−メチル
　プロパンスルホン酸）　　　　　　　　　　　　　　　　　　０．５ｇ
・ポリビニルアルコール　　　　　　　　　　　　　　　　　　０．６ｇ
・界面活性剤　　　　　　　　　　　　　　　　　　　　　　　１．１ｇ
・ＰＤＭＳで被覆された顔料　　　　　　　　　　　　　　　１４ｇ
・フィラー（ナイロン）　　　　　　　　　　　　　　　　　　０．５ｇ
・水　　　　　　　　　　　　　　　　　　　　　　全体を１００ｇにする量
　【００９２】
実施例８
・ＰＤＭＳにおいてヒドロキシル化されたシリ
　コーンガム
（ダウコーニング社のＱ２−１４０３）　　　　　　　　　　１６ｇ
・グッドリッチ社のペムレン・ＴＲ２　　　　　　　　　　　　０．６ｇ
・界面活性剤　　　　　　　　　　　　　　　　　　　　　　　１．１ｇ
・ＰＤＭＳで被覆された顔料　　　　　　　　　　　　　　　１２ｇ
・水　　　　　　　　　　　　　　　　　　　　　　全体を１００ｇにする量
　【００９３】
実施例９
・ＰＤＭＳにおいてヒドロキシル化されたシリ
　コーンガム
（ダウコーニング社のＱ２−１４０３）　　　　　　　　　　１６ｇ
・グッドリッチ社のペムレン・ＴＲ２　　　　　　　　　　　　０．１ｇ
・グッドリッチ社のカルボポール・９８０　　　　　　　　　　０．６ｇ
・界面活性剤　　　　　　　　　　　　　　　　　　　　　　　０．１ｇ
・ＰＤＭＳで被覆された顔料　　　　　　　　　　　　　　　１０ｇ
・水　　　　　　　　　　　　　　　　　　　　　　全体を１００ｇにする量
　【００９４】
実施例１０
・ＰＤＭＳにおいてヒドロキシル化されたシリ
　コーンガム
（ダウコーニング社のＱ２−１４０３）　　　　　　　　　　１６ｇ
・グッドリッチ社のペムレン・ＴＲ２　　　　　　　　　　　　０．１ｇ
・グッドリッチ社のカルボポール・９８０　　　　　　　　　　０．６ｇ
・ポリエチレンで被覆された顔料　　　　　　　　　　　　　　　　４ｇ
・水　　　　　　　　　　　　　　　　　　　　　　全体を１００ｇにする量
　【００９５】
実施例１１
・ＰＤＭＳにおいてヒドロキシル化されたシリ
　コーンガム
（ダウコーニング社のＱ２−１４０３）　　　　　　　　　　１６ｇ
・グッドリッチ社のペムレン・ＴＲ２　　　　　　　　　　　　０．１ｇ
・グッドリッチ社のカルボポール・９８０　　　　　　　　　　０．６ｇ
・水溶性の染料　　　　　　　　　　　　　　　　　　　　　　０．２７４ｇ
・水　　　　　　　　　　　　　　　　　　　　　　全体を１００ｇにする量
　【００９６】
実施例１２
・ＰＤＭＳ（１０ｃＳｔ）　　　　　　　　　　　　　　　　１０ｇ
・アプリコット油　　　　　　　　　　　　　　　　　　　　１０ｇ
・グッドリッチ社のペムレン・ＴＲ２　　　　　　　　　　　　０．１ｇ
・ポリ（２−アクリルアミド−２−メチル
　プロパンスルホン酸）　　　　　　　　　　　　　　　　　　０．６ｇ
・ポリビニルアルコール　　　　　　　　　　　　　　　　　　０．６ｇ
・界面活性剤　　　　　　　　　　　　　　　　　　　　　　　１．１ｇ
・ＰＤＭＳで被覆された顔料　　　　　　　　　　　　　　　１４ｇ
・水　　　　　　　　　　　　　　　　　　　　　　全体を１００ｇにする量
　【００９７】
実施例１３
・ＰＤＭＳ（１０ｃＳｔ）　　　　　　　　　　　　　　　　１５ｇ
・アプリコット油　　　　　　　　　　　　　　　　　　　　１０ｇ
・グッドリッチ社のペムレン・ＴＲ２　　　　　　　　　　　　０．１ｇ
・ポリ（２−アクリルアミド−２−メチル
　プロパンスルホン酸）　　　　　　　　　　　　　　　　　　０．６ｇ
・ポリビニルアルコール　　　　　　　　　　　　　　　　　　０．６ｇ
・界面活性剤　　　　　　　　　　　　　　　　　　　　　　　１．１ｇ
・ＰＤＭＳで被覆された顔料　　　　　　　　　　　　　　　１４ｇ
・水　　　　　　　　　　　　　　　　　　　　　　全体を１００ｇにする量
　【００９８】
実施例１４
・ＰＤＭＳ（１０ｃＳｔ）　　　　　　　　　　　　　　　　１５ｇ
・グッドリッチ杜のペムレン・ＴＲ２　　　　　　　　　　　　０．１ｇ
・ポリ（２−アクリルアミド−２−メチル
　プロパンスルホン酸）　　　　　　　　　　　　　　　　　　０．６ｇ
・ポリビニルアルコール　　　　　　　　　　　　　　　　　　０．６ｇ
・界面活性剤　　　　　　　　　　　　　　　　　　　　　　　１．１ｇ
・ＰＤＭＳで被覆された顔料　　　　　　　　　　　　　　　１４ｇ
・水　　　　　　　　　　　　　　　　　　　　　　全体を１００ｇにする量
　【００９９】
実施例１５
・ＰＤＭＳ（１０ｃＳｔ）　　　　　　　　　　　　　　　　　６ｇ
・アプリコット油　　　　　　　　　　　　　　　　　　　　１０ｇ
・グッドリッチ社のペムレン・ＴＲ２　　　　　　　　　　　　０．１ｇ
・ポリ（２−アクリルアミド−２−メチル
　プロパンスルホン酸）　　　　　　　　　　　　　　　　　　０．６ｇ
・ポリビニルアルコール　　　　　　　　　　　　　　　　　　０．６ｇ
・界面活性剤　　　　　　　　　　　　　　　　　　　　　　　１．１ｇ
・ＰＤＭＳで被覆された顔料　　　　　　　　　　　　　　　１４ｇ
・水　　　　　　　　　　　　　　　　　　　　　　全体を１００ｇにする量
　【０１００】
　このようにして、皮膚への展伸が容易で、脂ぎった感触がなく、織物と接触しても移りのないファンデーションが得られた。
　【０１０１】
　これらのファンデーションには、皮膚に適用した時に、ある種のフレッシュ感があった。
　【０１０２】
　ついで、これらのエマルションの持続性を決定した。
　【０１０３】
　各々のエマルション０．０５ｇを、前腕部の５０ｃｍ２の領域に適用し、適用した組成物を、５分間放置して乾燥させた。ついで、処理された前腕部の部分に、ポリエステルの織物の細片をあてがった。機械を使用して、細片が、処理された前腕部と接触して、垂直な移行運動をするように配した。織物は釣り合いおもりにより張った状態に維持され、よって、移行運動中、織物には摩擦が生じた。前後に１０回、摩擦運動が行われた。
　【０１０４】
　ついで、織物上に残された着色した跡に、次の等級を付けた：
織物にかなりのシミ：グレード＝０
織物にシミなし：グレード＝１０
　【０１０５】
　グレードが８．５以上である場合、そのファンデーションは、ほとんど移りがないとみなされる。
　【０１０６】
　得られた結果を次の表に示す。
　【表１】
　【０１０７】
　これらの結果から、本発明のエマルションは、良好な持続性があり、織物に移らないことが明らかになった。
　【０１０８】
　また、これは、組成物中に植物性油（アプリコット油）が、１０重量％までの濃度で存在する場合もしかりである。
　【０１０９】
　さらに、容易に比較できる実施例１と２から、本発明の組成物の移りを制限するために、ペムレン・ＴＲ２とポリビニルアルコールの組合せが特に優れていることが分かる。
　【０１１０】
　次の組成の組成物を調製した：
実施例１６
・ＰＤＭＳにおいてヒドロキシル化されたシリ
　コーンガム
（ダウコーニング社のＱ２−１４０３）　　　　　　　　　　１６ｇ
・グッドリッチ社のカルボポール・９８０　　　　　　　　　　０．７ｇ
・ＰＤＭＳで被覆された顔料　　　　　　　　　　　　　　　１２ｇ
・水　　　　　　　　　　　　　　　　　　　　　　全体を１００ｇにする量
　【０１１１】
　カルボポールが十分でないために、脂肪物質の分散が不可能であることが観察された。
　【０１１２】
実施例１７および１８
　これらの実施例は、多量の炭化水素油が存在する（植物性油が存在する場合）と、色移りに関し好ましくないということを示すことを目的とし、先行する実施例３および４と比較する。
　【０１１３】
実施例１７
・ＰＤＭＳにおいてヒドロキシル化されたシリ
　コーンガム
（ダウコーニング社のＱ２−１４０３）　　　　　　　　　　１３ｇ
・アプリコット油　　　　　　　　　　　　　　　　　　　　１２ｇ
・グッドリッチ社のペムレン・ＴＲ２　　　　　　　　　　　　０．１ｇ
・ポリ（２−アクリルアミド−２−メチル
　プロパンスルホン酸）　　　　　　　　　　　　　　　　　　０．６ｇ
・ポリビニルアルコール　　　　　　　　　　　　　　　　　　０．６ｇ
・界面活性剤　　　　　　　　　　　　　　　　　　　　　　　１．１ｇ
・ＰＤＭＳで被覆された顔料　　　　　　　　　　　　　　　１４ｇ
・水　　　　　　　　　　　　　　　　　　　　　　全体を１００ｇにする量
　【０１１４】
実施例１８
・ＰＤＭＳにおいてヒドロキシル化されたシリ
　コーンガム
（ダウコーニング社のＱ２−１４０３）　　　　　　　　　　１３ｇ
・ネオペンタン酸イソステアリル　　　　　　　　　　　　　１２ｇ
・グッドリッチ社のペムレン・ＴＲ２　　　　　　　　　　　　０．１ｇ
・ポリ（２−アクリルアミド−２−メチル
　プロパンスルホン酸）　　　　　　　　　　　　　　　　　　０．６ｇ
・ポリビニルアルコール　　　　　　　　　　　　　　　　　　０．６ｇ
・界面活性剤　　　　　　　　　　　　　　　　　　　　　　　１．１ｇ
・ＰＤＭＳで被覆された顔料　　　　　　　　　　　　　　　１４ｇ
・水　　　　　　　　　　　　　　　　　　　　　　全体を１００ｇにする量
　【０１１５】
　これら実施例１７および１８において、エマルションの持続性を上述したテストにより決定した。結果を次に示す。
　【表２】
　【０１１６】
実施例１９
　この実施例は、組成物の移りの制限に関して、ペムレン・ＴＲ２の使用による改善の程度を示すことを目的としたものであり、よって、一つはペムレン・ＴＲ２を含有する本発明のファンデーションＡで、他方は、Ａと同じ組成であるが、ペムレン・ＴＲ２の代わりに、伝統的な界面活性剤系である、ステアリン酸／ステアラート、トリエタノールアミンを含有するファンデーションＢである。組成を以下に示す：
　【０１１７】
ファンデーションＡ
・ＰＤＭＳ（１０ｃＳｔ）　　　　　　　　　　　　　　　　１０ｇ
・アプリコット油　　　　　　　　　　　　　　　　　　　　１０ｇ
・グッドリッチ社のペムレン・ＴＲ２　　　　　　　　　　　　０．１ｇ
・ポリ（２−アクリルアミド−２−メチル
　プロパンスルホン酸）　　　　　　　　　　　　　　　　　　０．６ｇ
・ポリビニルアルコール　　　　　　　　　　　　　　　　　　０．６ｇ
・界面活性剤　　　　　　　　　　　　　　　　　　　　　　　１．１ｇ
・ＰＤＭＳで被覆された顔料　　　　　　　　　　　　　　　１４ｇ
・水　　　　　　　　　　　　　　　　　　　　　　全体を１００ｇにする量
　【０１１８】
ファンデーションＢ
・ＰＤＭＳ（１０ｃＳｔ）　　　　　　　　　　　　　　　　１０ｇ
・アプリコット油　　　　　　　　　　　　　　　　　　　　１０ｇ
・ステアリン酸／ステアラート　　　　　　　　　　　　　　　４．４ｇ
・ポリ（２−アクリルアミド−２−メチル
　プロパンスルホン酸）　　　　　　　　　　　　　　　　　　０．６ｇ
・ポリビニルアルコール　　　　　　　　　　　　　　　　　　０．６ｇ
・トリエタノールアミン　　　　　　　　　　　　　　　　　　１．１ｇ
・ＰＤＭＳで被覆された顔料　　　　　　　　　　　　　　　１４ｇ
・水　　　　　　　　　　　　　　　　　　　　　　全体を１００ｇにする量
　【０１１９】
　以下の、通常の方法により、これらのファンデーションを調製した。脂肪相の成分と予め分散させておいた顔料とを混合し、ついで水相を調製し、２相を、６５℃で、ターボミキサーを使用し、攪拌して混合し、混合物を放置して冷却した。
　【０１２０】
　ついで、これらのエマルションの持続性を、実施例１〜１５と同様の方法で決定した。結果を次の表に示す。
　【表３】